(57)【要約】  【課題】  温度変化や経年変化などによるムラ、擬似輪郭、偽色等のノイズを低減することができる画像表示装置等を提供する。  【解決手段】  表示部２１と、偏光旋回液晶セル２２，２４および複屈折板を含む画素ずらしユニット２０と、表示光学部とを備える画像表示装置において、偏光旋回液晶セル２２，２４を挟み込むように平行ニコルまたはクロスニコルに配設された２枚の偏光板４２，４３と、偏光旋回液晶セル２２，２４および２枚の偏光板４２，４３を通過した測定光の光量を測定する受光素子４４と、偏光旋回液晶セル２２，２４の駆動状態情報と受光素子４４による測定値とに基づいて偏光旋回液晶セル２２，２４の偏光特性を求めるシステム制御マイクロコンピュータ５１と、求めた偏光特性に基づいて表示部２１へ供給する画像情報を補正する補正演算ブロック５２と、を備えた画像表示装置。【選択図】図２
2007219301.tif 000002
【特許請求の範囲】
【請求項１】
画像のウォブリング表示用の偏光旋回液晶セルの偏光特性を測定するためのセンサユニットであって、
上記偏光旋回液晶セルの一方の側に配置されるようになされ、測定光における所定の第１の偏光方向の光のみを通過させる第１の偏光手段と、
上記偏光旋回液晶セルの他方の側に配置されるようになされ、上記第１の偏光手段を通過し、その後に上記偏光旋回液晶セルを通過した測定光における、所定の第２の偏光方向の光のみを通過させる第２の偏光手段と、
上記偏光旋回液晶セルの他方の側に配置されるようになされ、上記第２の偏光手段を通過した測定光の光量を測定する受光手段と、
上記偏光旋回液晶セルの駆動状態に関する情報と、上記受光手段により受光した光量の測定値と、に基づいて、該偏光旋回液晶セルの偏光特性を求める測定手段と、
を具備したことを特徴とするセンサユニット。
【請求項２】
請求項１に記載のセンサユニットと、
上記第１の偏光手段と上記第２の偏光手段との間に配置され、入射される画像に係る変調光の偏光旋回をするかしないかを制御することにより画像のウォブリング表示を行うための偏光旋回液晶セルと、
上記偏光旋回液晶セルを通過した変調光が入射される複屈折板と、
を具備したことを特徴とする画素ずらしユニット。
【請求項３】
請求項２に記載の画素ずらしユニットと、
入力される画像情報に応じて変調された変調光を、上記偏光旋回液晶セルへ向けて出射する画像変調手段と、
上記複屈折板を通過した変調光を観察可能となるように表示する表示光学手段と、
上記測定手段が求めた偏光特性に基づいて画像情報補正演算の補正パラメータを算出し、該補正パラメータを用いて上記画像情報を補正する画像情報補正演算手段と、
を具備したことを特徴とする画像表示装置。
【請求項４】
上記第１の偏光手段と第２の偏光手段とは、平行ニコルに配置されたものであることを特徴とする請求項２に記載の画素ずらしユニット。
【請求項５】
上記第１の偏光手段と第２の偏光手段とは、さらに、クロスニコルに配置されたものであることを特徴とする請求項２に記載の画素ずらしユニット。
【請求項６】
上記第１の偏光手段と第２の偏光手段とは、２組設けられていて、一方の組は固定的に平行ニコルに配置され、他方の組は固定的にクロスニコルに配置されたものであることを特徴とする請求項５に記載の画素ずらしユニット。
【請求項７】
上記第１の偏光手段と第２の偏光手段とに平行ニコルの配置とクロスニコルの配置とを時分割的にとらせるように切り替えるための切替手段をさらに具備したことを特徴とする請求項５に記載の画素ずらしユニット。
【請求項８】
上記偏光旋回液晶セルは、表示用の光束が通過する領域である表示用領域と、この表示用領域の外側に配置された検出用領域と、を有して構成されたものであり、
上記第１の偏光手段、第２の偏光手段、および受光手段は、上記検出用領域を通過する測定光の光路上に配置されたものであることを特徴とする請求項６または請求項７に記載の画素ずらしユニット。
【請求項９】
上記測定光を出射するための測定用光源をさらに具備したことを特徴とする請求項８に記載の画素ずらしユニット。
【請求項１０】
上記センサユニットにおける少なくとも第２の偏光手段と受光手段とを、上記偏光旋回液晶セルにおける表示用の光束が通過する領域である表示用領域から退避した位置と、該表示用領域を通過する表示用の光束の光路上に配置した位置と、に移動するための移動手段をさらに具備したことを特徴とする請求項４または請求項５に記載の画素ずらしユニット。
【請求項１１】
上記測定手段は、平行ニコル状態における白レベルと平行ニコル状態における黒レベルとの比を演算して、偏光特性とするものであることを特徴とする請求項４に記載の画素ずらしユニット。
【請求項１２】
上記測定手段は、平行ニコル状態における白レベルおよび黒レベルと、クロスニコル状態における白レベルおよび黒レベルと、の４つの値を用いて演算を行い、偏光特性を求めるものであることを特徴とする請求項５に記載の画素ずらしユニット。
【請求項１３】
上記測定手段は、複数の測定値に基づき複数の偏光特性を演算し、これら複数の偏光特性の平均値を偏光特性とするものであることを特徴とする請求項２に記載の画素ずらしユニット。
【請求項１４】
上記測定手段は、偏光旋回液晶セルの偏光特性を前回求めたときからの該偏光旋回液晶セルの使用時間が所定時間に達したときに、該偏光旋回液晶セルの偏光特性を新たに求めるものであることを特徴とする請求項２に記載の画素ずらしユニット。
【請求項１５】
上記偏光旋回液晶セルの温度を測定するための温度検出手段をさらに具備し、
上記測定手段は、偏光旋回液晶セルの偏光特性を前回求めたときからの該偏光旋回液晶セルの温度の変化量が所定値に達したときに、該偏光旋回液晶セルの偏光特性を新たに求めるものであることを特徴とする請求項２に記載の画素ずらしユニット。
【請求項１６】
上記測定手段は、当該画素ずらしユニットが起動される毎に、上記偏光旋回液晶セルの偏光特性を求めるものであることを特徴とする請求項２に記載の画素ずらしユニット。
【請求項１７】
複数系統の映像信号が択一的に切り替えて入力され得るものであり、入力される映像信号に応じた画像情報を出力する信号入力手段をさらに具備し、
上記測定手段は、上記信号入力手段へ入力される映像信号の系統が切り替えられる毎に、上記偏光旋回液晶セルの偏光特性を求めるものであることを特徴とする請求項３に記載の画像表示装置。
【請求項１８】
補正前の画像情報におけるウォブリングの各画素位置の信号を成分として補正前ベクトルを構成し、補正後の画像情報におけるウォブリングの各画素位置の信号を成分として補正後ベクトルを構成したときに、
上記画像情報補正演算手段は、上記偏光特性を用いた行列の逆行列を上記画像情報補正演算の補正パラメータとして算出し、該補正パラメータを上記補正前ベクトルに行列演算することにより補正後ベクトルを算出して、上記画像情報を補正するものであることを特徴とする請求項３に記載の画像表示装置。
【請求項１９】
上記測定手段により求められた偏光特性を記憶するための不揮発性記憶手段をさらに具備したことを特徴とする請求項１に記載のセンサユニット。
【請求項２０】
上記画像情報補正演算手段により求められた上記偏光特性を用いた行列の逆行列を記憶するための不揮発性記憶手段をさらに具備したことを特徴とする請求項１８に記載の画像表示装置。
【請求項２１】
当該画像表示装置は、カラー画像の表示を行うものであり、
上記測定手段は、該偏光旋回液晶セルの偏光特性を、上記カラー画像を構成する色毎に求めるものであって、
上記画像情報補正演算手段は、色毎に上記画像情報を補正するものであることを特徴とする請求項３に記載の画像表示装置。
【請求項２２】
当該画像表示装置は、色面順次にカラー画像の表示を行うものであることを特徴とする請求項２１に記載の画像表示装置。
【請求項２３】
当該画像表示装置は、上記カラー画像を構成する色毎に独立した光路を有する多板表示方式でカラー画像の表示を行うものであることを特徴とする請求項２１に記載の画像表示装置。
【請求項２４】
上記画像情報補正演算手段への電力供給をオン／オフするための電源制御手段をさらに具備し、
該電源制御手段は、上記測定手段により求められた偏光特性が所定範囲内である場合には、上記画像情報補正演算手段への電力供給をオフするものであることを特徴とする請求項３に記載の画像表示装置。
【請求項２５】
上記表示光学手段は、ズーム光学系を有して構成されたものであって、
上記画像情報補正演算手段への電力供給をオン／オフするための電源制御手段をさらに具備し、
該電源制御手段は、上記表示光学手段のズーム倍率が所定値未満である場合には、上記画像情報補正演算手段への電力供給をオフするものであることを特徴とする請求項３に記載の画像表示装置。
【請求項２６】
上記表示光学手段は、焦点位置を調節するためのフォーカス光学系を有して構成されたものであって、
上記画像情報補正演算手段への電力供給をオン／オフするための電源制御手段をさらに具備し、
該電源制御手段は、上記表示光学手段の焦点位置が所定位置よりも近い場合には、上記画像情報補正演算手段への電力供給をオフするものであることを特徴とする請求項３に記載の画像表示装置。
【請求項２７】
上記表示光学手段は、ズーム光学系と、焦点位置を調節するためのフォーカス光学系と、を有して構成されたものであって、
上記画像情報補正演算手段への電力供給をオン／オフするための電源制御手段をさらに具備し、
該電源制御手段は、上記測定手段により求められた偏光特性が所定範囲内であり、かつ上記表示光学手段のズーム倍率が所定値未満であり、かつ該表示光学手段の焦点位置が所定位置よりも近い場合には、上記画像情報補正演算手段への電力供給をオフするものであることを特徴とする請求項３に記載の画像表示装置。
【発明の詳細な説明】
【技術分野】
【０００１】
本発明は、偏光旋回液晶セルの偏光特性を測定するためのセンサユニット、このセンサユニットを備える画素ずらしユニット、この画素ずらしユニットを備える画像表示装置に関する。
【背景技術】
【０００２】
画像表示装置の解像度をより高める要求が高まっている中で、画像表示装置内に配設された表示素子の解像度よりも高い解像度を得る技術として、いわゆるウォブリング技術が研究されている。
【０００３】
このウォブリング技術は、表示素子の各画素の表示面上における像位置を、時系列的に巡回的に順次異ならせることにより、人間が感知する視覚上の解像度を高める技術（画素ずらしによる高解像度化を図る技術）である。より具体的には、このウォブリング技術を用いた画像表示装置は、例えば、表示素子からの光の偏光方向を９０度旋回させるための偏光旋回液晶セルと、偏光方向に依存して光線シフトの有無を発生させる複屈折板と、を含んで構成されている。
【０００４】
これらの内の偏光旋回液晶セルは、印加電圧のオン／オフに応じて偏光方向を、９０度旋回する、旋回しない、を選択するものである。従って、この偏光旋回液晶セルを制御することにより、光線シフトによる画素ずらしのタイミングを制御することが可能となっている。なお、このような技術の詳細は、例えば特開平１１−３２６８７７号公報に記載されている。
【０００５】
ところで、照明光源から例えば円偏光として発生され、偏光手段により一方向の直線偏光に変換された光が、偏光旋回液晶セルに入射したする。このときに、偏光旋回液晶セルは、駆動時には偏光方向が全く旋回せず、非駆動時には偏光方向が９０度旋回する、というのが動作の基本となっている。しかしながら、液晶セル非駆動時には偏光方向の旋回が実際に理想的な９０度にはなるとは限らないことが知られている。この場合には、偏光旋回液晶セルから出射される光は、９０度旋回した直線偏光とはならず、直交する成分を含む楕円偏光となる。そして、この楕円偏光した光が複屈折板を通過すると、一部の光が直進し、一部の光がシフトされることになってしまう。従って、この楕円偏光の状態により画素ずらしされた画素の情報には、該楕円偏光による誤差が、偽色、ムラ、擬似輸郭等のノイズとして発生する。例えば、これらの内の偽色は、画素開口率が１００％でない場合には、画像のエッジ部に現れるだけではなく、画像の平坦な部分にも近傍４画素単位の繰り返しのムラ（いわゆる４点ウォブリングの場合）として現れ、例えば画像がざらついているように見えてしまう。
【０００６】
加えて、画像表示装置が、プロジェクタ等の投影型の画像表示装置である場合には、これらの偽色やムラなどは、光学系のズーム倍率を上げて拡大表示するほど目立ち易くなってしまう。
【０００７】
ところで液晶（偏光旋回液晶セルを含む）は、各種の特性が温度に依存して変化するために、安定した高品質な表示を行うには液晶の温度を測定することが望ましい。そこで、例えば特開２０００−２８４２５５号公報には、液晶の各種特性の内の応答時間特性が温度に依存することを利用して、この応答時間特性を測定し、液晶の温度を算出する技術が記載されている。これにより、高価な温度測定素子を使用することなく、画像表示用液晶（該公報に記載の液晶は、ウォブリング用の液晶ではない。）の温度を測定することができるようにしている。また、上述した特開平１１−３２６８７７号公報には、偏光旋回液晶セルの温度を監視する技術が記載されている。さらに、液晶の応答時間の温度特性を制御することにより、表示を安定化する技術は、種々のものが開発されている。
【０００８】
なお、液晶の特性を評価するための指標としては、液晶を挟んだ光路上の前後に偏光方向を一定にした偏光板を配置して、この状態で液晶を駆動したときと駆動しないときとの２つの状態における信号レベルを測定し、これらの比率をとって得られる消光比を用いることが一般的である。
【特許文献１】特開平１１−３２６８７７号公報
【特許文献２】特開２０００−２８４２５５号公報
【発明の開示】
【発明が解決しようとする課題】
【０００９】
上述したようなウォブリング技術において、偏光旋回液晶セルの偏光特性に起因する偽色、ムラ、擬似輸郭等のノイズの抑圧（以降、これらをまとめて偽色補正と呼ぶ）を行う場合には、液晶の特性を予め測定し、この測定した特性情報を記憶しておき、記憶した特性情報に基づいて表示装置により画像情報の補正を行うことが一解決手段として考えられる（ただし、上記各特許文献には、偏光旋回液晶セルの偏光特性を測定する技術についての開示はない。）。しかし、このようなシステムでは、液晶の特性が温度変化したり経年変化したりすることに対しては追従することができない。
【００１０】
また、上記に加えてさらに、液晶の偏光特性を予め測定する際に温度毎に測定を行い、温度毎に測定した特性情報を記憶しておいて、リアルタイムで検出される液晶の温度に基づいて、該温度時の偏光特性を算出する技術も考えられる。このような技術を用いれば、温度特性を補正することが可能になるが、依然として経年変化に対応することはできない。従って、このような技術を用いても、使用時間が増大するに従って、補正の誤差が大きくなって行くという補正精度の課題がある。
【００１１】
本発明は上記事情に鑑みてなされたものであり、温度変化や経年変化などによるムラ、擬似輪郭、偽色等のノイズを低減することができるセンサユニット、画素ずらしユニット、画像表示装置を提供することを目的としている。
【課題を解決するための手段】
【００１２】
上記の目的を達成するために、第１の発明によるセンサユニットは、画像のウォブリング表示用の偏光旋回液晶セルの偏光特性を測定するためのセンサユニットであって、上記偏光旋回液晶セルの一方の側に配置されるようになされ測定光における所定の第１の偏光方向の光のみを通過させる第１の偏光手段と、上記偏光旋回液晶セルの他方の側に配置されるようになされ上記第１の偏光手段を通過しその後に上記偏光旋回液晶セルを通過した測定光における所定の第２の偏光方向の光のみを通過させる第２の偏光手段と、上記偏光旋回液晶セルの他方の側に配置されるようになされ上記第２の偏光手段を通過した測定光の光量を測定する受光手段と、上記偏光旋回液晶セルの駆動状態に関する情報と上記受光手段により受光した光量の測定値とに基づいて該偏光旋回液晶セルの偏光特性を求める測定手段と、を具備したものである。
【００１３】
また、第２の発明による画素ずらしユニットは、上記第１の発明によるセンサユニットと、上記第１の偏光手段と上記第２の偏光手段との間に配置され入射される画像に係る変調光の偏光旋回をするかしないかを制御することにより画像のウォブリング表示を行うための偏光旋回液晶セルと、上記偏光旋回液晶セルを通過した変調光が入射される複屈折板と、を具備したものである。
【００１４】
さらに、第３の発明による画像表示装置は、上記第２の発明による画素ずらしユニットと、入力される画像情報に応じて変調された変調光を上記偏光旋回液晶セルへ向けて出射する画像変調手段と、上記複屈折板を通過した変調光を観察可能となるように表示する表示光学手段と、上記測定手段が求めた偏光特性に基づいて画像情報補正演算の補正パラメータを算出し該補正パラメータを用いて上記画像情報を補正する画像情報補正演算手段と、を具備したものである。
【００１５】
第４の発明による画素ずらしユニットは、上記第２の発明による画素ずらしユニットにおいて、上記第１の偏光手段と第２の偏光手段とが、平行ニコルに配置されたものである。
【００１６】
第５の発明による画素ずらしユニットは、上記第２の発明による画素ずらしユニットにおいて、上記第１の偏光手段と第２の偏光手段とが、さらに、クロスニコルに配置されたものである。
【００１７】
第６の発明による画素ずらしユニットは、上記第５の発明による画素ずらしユニットにおいて、上記第１の偏光手段と第２の偏光手段とが、２組設けられていて、一方の組は固定的に平行ニコルに配置され、他方の組は固定的にクロスニコルに配置されたものである。
【００１８】
第７の発明による画素ずらしユニットは、上記第５の発明による画素ずらしユニットにおいて、上記第１の偏光手段と第２の偏光手段とに平行ニコルの配置とクロスニコルの配置とを時分割的にとらせるように切り替えるための切替手段をさらに具備したものである。
【００１９】
第８の発明による画素ずらしユニットは、上記第６または第７の発明による画素ずらしユニットにおいて、上記偏光旋回液晶セルが、表示用の光束が通過する領域である表示用領域とこの表示用領域の外側に配置された検出用領域とを有して構成されたものであり、上記第１の偏光手段、第２の偏光手段、および受光手段は、上記検出用領域を通過する測定光の光路上に配置されたものである。
【００２０】
第９の発明による画素ずらしユニットは、上記第８の発明による画素ずらしユニットにおいて、上記測定光を出射するための測定用光源をさらに具備したものである。
【００２１】
第１０の発明による画素ずらしユニットは、上記第４または第５の発明による画素ずらしユニットにおいて、上記センサユニットにおける少なくとも第２の偏光手段と受光手段とを、上記偏光旋回液晶セルにおける表示用の光束が通過する領域である表示用領域から退避した位置と、該表示用領域を通過する表示用の光束の光路上に配置した位置と、に移動するための移動手段をさらに具備したものである。
【００２２】
第１１の発明による画素ずらしユニットは、上記第４の発明による画素ずらしユニットにおいて、上記測定手段が、平行ニコル状態における白レベルと平行ニコル状態における黒レベルとの比を演算して、偏光特性とするものである。
【００２３】
第１２の発明による画素ずらしユニットは、上記第５の発明による画素ずらしユニットにおいて、上記測定手段が、平行ニコル状態における白レベルおよび黒レベルと、クロスニコル状態における白レベルおよび黒レベルと、の４つの値を用いて演算を行い、偏光特性を求めるものである。
【００２４】
第１３の発明による画素ずらしユニットは、上記第２の発明による画素ずらしユニットにおいて、上記測定手段が、複数の測定値に基づき複数の偏光特性を演算し、これら複数の偏光特性の平均値を偏光特性とするものである。
【００２５】
第１４の発明による画素ずらしユニットは、上記第２の発明による画素ずらしユニットにおいて、上記測定手段が、偏光旋回液晶セルの偏光特性を前回求めたときからの該偏光旋回液晶セルの使用時間が所定時間に達したときに、該偏光旋回液晶セルの偏光特性を新たに求めるものである。
【００２６】
第１５の発明による画素ずらしユニットは、上記第２の発明による画素ずらしユニットにおいて、上記偏光旋回液晶セルの温度を測定するための温度検出手段をさらに具備し、上記測定手段は、偏光旋回液晶セルの偏光特性を前回求めたときからの該偏光旋回液晶セルの温度の変化量が所定値に達したときに、該偏光旋回液晶セルの偏光特性を新たに求めるものである。
【００２７】
第１６の発明による画素ずらしユニットは、上記第２の発明による画素ずらしユニットにおいて、上記測定手段が、当該画素ずらしユニットが起動される毎に、上記偏光旋回液晶セルの偏光特性を求めるものである。
【００２８】
第１７の発明による画像表示装置は、上記第３の発明による画像表示装置において、複数系統の映像信号が択一的に切り替えて入力され得るものであり入力される映像信号に応じた画像情報を出力する信号入力手段をさらに具備し、上記測定手段は、上記信号入力手段へ入力される映像信号の系統が切り替えられる毎に、上記偏光旋回液晶セルの偏光特性を求めるものである。
【００２９】
第１８の発明による画像表示装置は、上記第３の発明による画像表示装置において、補正前の画像情報におけるウォブリングの各画素位置の信号を成分として補正前ベクトルを構成し、補正後の画像情報におけるウォブリングの各画素位置の信号を成分として補正後ベクトルを構成したときに、上記画像情報補正演算手段は、上記偏光特性を用いた行列の逆行列を上記画像情報補正演算の補正パラメータとして算出し、該補正パラメータを上記補正前ベクトルに行列演算することにより補正後ベクトルを算出して、上記画像情報を補正するものである。
【００３０】
第１９の発明によるセンサユニットは、上記第１の発明によるセンサユニットにおいて、上記測定手段により求められた偏光特性を記憶するための不揮発性記憶手段をさらに具備したものである。
【００３１】
第２０の発明による画像表示装置は、上記第１８の発明による画像表示装置において、上記画像情報補正演算手段により求められた上記偏光特性を用いた行列の逆行列を記憶するための不揮発性記憶手段をさらに具備したものである。
【００３２】
第２１の発明による画像表示装置は、上記第３の発明による画像表示装置において、カラー画像の表示を行うものであり、上記測定手段は、該偏光旋回液晶セルの偏光特性を、上記カラー画像を構成する色毎に求めるものであって、上記画像情報補正演算手段は、色毎に上記画像情報を補正するものである。
【００３３】
第２２の発明による画像表示装置は、上記第２１の発明による画像表示装置において、色面順次にカラー画像の表示を行うものである。
【００３４】
第２３の発明による画像表示装置は、上記第２１の発明による画像表示装置において、上記カラー画像を構成する色毎に独立した光路を有する多板表示方式でカラー画像の表示を行うものである。
【００３５】
第２４の発明による画像表示装置は、上記第３の発明による画像表示装置において、上記画像情報補正演算手段への電力供給をオン／オフするための電源制御手段をさらに具備し、該電源制御手段は、上記測定手段により求められた偏光特性が所定範囲内である場合には、上記画像情報補正演算手段への電力供給をオフするものである。
【００３６】
第２５の発明による画像表示装置は、上記第３の発明による画像表示装置において、上記表示光学手段がズーム光学系を有して構成されたものであって、上記画像情報補正演算手段への電力供給をオン／オフするための電源制御手段をさらに具備し、該電源制御手段は、上記表示光学手段のズーム倍率が所定値未満である場合には、上記画像情報補正演算手段への電力供給をオフするものである。
【００３７】
第２６の発明による画像表示装置は、上記第３の発明による画像表示装置において、上記表示光学手段が焦点位置を調節するためのフォーカス光学系を有して構成されたものであって、上記画像情報補正演算手段への電力供給をオン／オフするための電源制御手段をさらに具備し、該電源制御手段は、上記表示光学手段の焦点位置が所定位置よりも近い場合には、上記画像情報補正演算手段への電力供給をオフするものである。
【００３８】
第２７の発明による画像表示装置は、上記第３の発明による画像表示装置において、上記表示光学手段がズーム光学系と焦点位置を調節するためのフォーカス光学系とを有して構成されたものであって、上記画像情報補正演算手段への電力供給をオン／オフするための電源制御手段をさらに具備し、該電源制御手段は、上記測定手段により求められた偏光特性が所定範囲内であり、かつ上記表示光学手段のズーム倍率が所定値未満であり、かつ該表示光学手段の焦点位置が所定位置よりも近い場合には、上記画像情報補正演算手段への電力供給をオフするものである。
【発明の効果】
【００３９】
本発明のセンサユニット、画素ずらしユニット、画像表示装置によれば、温度変化や経年変化などによるムラ、擬似輪郭、偽色等のノイズを低減することができる。
【発明を実施するための最良の形態】
【００４０】
以下、図面を参照して本発明の実施の形態を説明する。
【００４１】
［実施形態１］
図１から図２１は本発明の実施形態１を示したものであり、図１は画像表示装置の主として光学系に係る構成の概要を示す図である。
【００４２】
この画像表示装置は、図１に示すように、プロジェクタ１と、このプロジェクタ１から画像が投影される表示光学手段の一部であるスクリーン２と、を有して構成されている。なお、本実施形態においては、画像表示装置として、プロジェクタタイプのものを例に挙げて説明するが、もちろんこれに限定されるものではない。
【００４３】
プロジェクタ１は、照明部５と、表示部２１と、画素ずらし部６と、表示光学部７と、を有して構成されている。
【００４４】
これらの内の照明部５は、表示用光源１１と、カラーホイール１２と、ＰＳ変換素子１３と、インテグレータロッド１４と、照明光学系１５と、を有して構成された画像変調手段の一部である。
【００４５】
表示用光源１１は、例えば、超高圧水銀ランプ、メタルハライドランプ、キセノンランプ等の放電により白色を発光する光源部１１ａと、この光源部１１ａから発光された光線を所定の点に集光するための楕円リフレクタ１１ｂと、を備えた光源手段である。なお、ここでは光源部１１ａとして、放電により発光を行う放電ランプを例に挙げているが、これに限らず、例えば、ＬＥＤ、ハロゲンランプ等の種々の発光手段を光源部１１ａとして用いることが可能である。
【００４６】
カラーホイール１２は、表示用光源１１から射出される光の色成分を時系列的に抽出するためのものであり、例えば、Ｒ（赤）の波長のみを透過可能なＲフィルタ１２ｒ、Ｇ（緑）の波長のみを透過可能なＧフィルタ１２ｇ、Ｂ（青）の波長のみを透過可能なＢフィルタ１２ｂ（図７も参照）の３つのカラーフィルタを円板上に円周方向の等間隔に配置し、この円板をモータ等の駆動手段により回動するように構成したものである。これにより、カラーホイール１２は、ＲＧＢの３色光を時分割で順次生成するようになっている。
【００４７】
ＰＳ変換素子１３は、カラーホイール１２を通過した光を、特定の偏光方向の光に効率良く変換するためのデバイスである。
【００４８】
インテグレータロッド１４は、光源の輝点を内部反射を用いて多点化することにより、ＰＳ変換素子１３からの光のムラをなくして、均一な照明光に変換するためのものである。
【００４９】
照明光学系１５は、インテグレータロッド１４から射出される照明光を、表示部２１へ効率良く投射するための光学系である。
【００５０】
表示部２１は、例えば透過型ＬＣＤ等で構成された画像変調手段の一部である。この画像表示装置は、上述したようなカラーホイール１２を用いた単板色面順次表示方式を採用するカラー画像表示装置であるために、この表示部２１に用いられる透過型ＬＣＤは、いわゆるモノクロタイプの透過型ＬＣＤである。そして、この透過型ＬＣＤは、偏光透過軸の方向が、照明部５のＰＳ変換素子１３により変換される照明光の偏光方向と一致するように構成されている。
【００５１】
また、この表示部２１は、プロジェクタ１内に設けられた表示制御部２９により制御されるようになっている。
【００５２】
画素ずらし部６は、この図１に示す例では、第１の偏光旋回液晶セル２２と、第１の複屈折板２３と、第２の偏光旋回液晶セル２４と、第２の複屈折板２５とを、表示部２１から表示光学部７に至る光路上に順に配置している。そして、第１の偏光旋回液晶セル２２および第１の複屈折板２３でなる第１の組と、第２の偏光旋回液晶セル２４および第２の複屈折板２５でなる第２の組と、の何れか一方が、例えば水平方向へ光線をシフトする画素ずらし部を構成し、他方が例えば垂直方向へ光線をシフトする画素ずらし部を構成しており、いわゆる４点ウォブリングを行うことができるようになっている。
【００５３】
また、画素ずらし部６は、表示部２１から表示光学部７に至る光路の外周側に、表示光束に係る光が漏れるのを防止するための筒状の遮光部材２８が配設されている。
【００５４】
上述した第１の偏光旋回液晶セル２２は、遮光部材２８の外周側に突出する部分を備え、該遮光部材２８に囲まれた内周側に表示光束が通過するための表示用領域２２ａが、該遮光部材２８の外周側に突出した部分に検出用領域２２ｂが、それぞれ設けられている（図２等参照）。そして、この突出部分の検出用領域２２ｂを挟み込むように、該第１の偏光旋回液晶セル２２の偏光状態を必要に応じて検出するための第１のセンサユニット２６が配設されている。
【００５５】
同様に、上述した第２の偏光旋回液晶セル２４は、遮光部材２８の外周側に突出する部分を備え、該遮光部材２８に囲まれた内周側に表示光束が通過するための表示用領域２４ａが、該遮光部材２８の外周側に突出した部分に検出用領域２４ｂが、それぞれ設けられている（図２等参照）。そして、この突出部分の検出用領域２４ｂを挟み込むように、該第２の偏光旋回液晶セル２４の偏光状態を必要に応じて検出するための第２のセンサユニット２７が配設されている。
【００５６】
従って、本実施形態は、上述した特開平１１−３２６８７７号公報に記載されたような温度を監視することにより偏光旋回液晶セルの特性を推定するのではなく、偏光旋回液晶セルの特性を直接的に検出するものとなっている。
【００５７】
表示光学部７は、投射光学系３１と、ズーム／焦点駆動機構３２と、ズーム／焦点位置情報検出部３３と、を有して構成されている。
【００５８】
投射光学系３１は、フォーカス光学系を備え焦点位置（フォーカス位置）を調整可能であって、かつ焦点距離（ズーム位置）を調整可能なズーム光学系として構成された表示光学手段である。
【００５９】
ズーム／焦点駆動機構３２は、この投射光学系３１の焦点位置調節やズーム調節を行うためのものである。
【００６０】
ズーム／焦点位置情報検出部３３は、ズーム／焦点駆動機構３２により設定されている焦点位置情報やズーム情報を後述するシステム制御マイクロコンピュータ５１（図２、図８等参照）へ出力するためのものである。
【００６１】
このような構成のプロジェクタ１から画像がスクリーン２へ拡大して投影されることにより、スクリーン２上の画像を観察することができるように構成されている。なお、この図１は、表示部２１の共役像がスクリーン２上に投影されて、観察可能となっている状態を示している。
【００６２】
次に、図２は、センサユニット２６，２７の基本的な構成を示す図である。第１のセンサユニット２６と第２のセンサユニット２７は、基本的に同様に構成されているために、ここではまとめて説明する。
【００６３】
センサユニット２６，２７は、偏光旋回液晶セル２２，２４の一方の側に測定用光源４１および偏光板４２が、他方の側に偏光板４３、カラーフィルタ４５，受光素子４４が、測定用光源４１から受光素子４４に向かう光軸上にそれぞれ配置されるようになされて構成されている。なお、この図２に示す例においては、例えば、測定用光源４１を偏光旋回液晶セル２２，２４の照明部５側に、受光素子４４を偏光旋回液晶セル２２，２４のスクリーン２側に、それぞれ配設しているが、この逆に配設することも可能である。
【００６４】
測定用光源４１は、例えば白色ＬＥＤ等で構成されていて、このセンサユニット２６，２７により測定を行うときには、光源発光回路５３の制御に基づき常時発光するようになっている。この光源発光回路５３は、測定用光源４１を発光させるための電圧発生や電流制御等を行なうものである。
【００６５】
偏光板４２は、測定用光源４１から射出される光線の内の、一偏光方向の光のみを通過させ、この一偏光方向に直交する他偏光方向の光は通過させない第１の偏光手段である。この偏光板４２を通過した偏光光線は、測定対象物である画素ずらし用の偏光旋回液晶セル２２，２４を通過する。そして、偏光板４３は、偏光旋回液晶セル２２，２４を通過した光の内の、測定すべき偏光方向の光だけを通過させる第２の偏光手段である。この図２に示す例においては、これら偏光板４２と偏光板４３は、それぞれの偏光透過軸４２ａ，４３ａが同一の方向になるように（つまり、平行ニコルに）配置されている。
【００６６】
カラーフィルタ４５は、上述したカラーホイール１２と同一の光学特性を備えたカラーフィルタ（Ｒ色フィルタ４５ｒ、Ｇ色フィルタ４５ｇ、Ｂ色フィルタ４５ｂ）が配列されたものである。これらのカラーフィルタの内の何れを測定用光源４１から受光素子４４に向かう光軸上に配置するかは、カラーフィルタ位置制御機構４６により択一的に切り換えられるようになっている。ここに、カラーフィルタ位置制御機構４６は、この図２に示す例においては、カラーフィルタ４５の下辺側に一体的に設けられたラック４６ａと、このラック４６ａにギヤを噛合させているモータ４６ｂと、を有して構成されている。なお、ここでは、カラー画像表示装置に組み込むセンサユニット２６，２７の例を説明しているためにカラーフィルタ４５およびカラーフィルタ位置制御機構４６を設けているが、モノクロ画像表示装置の場合にはこれらは不要となる。
【００６７】
上述した偏光板４３を通過する偏光光の光強度は、偏光旋回液晶セル２２，２４の駆動状態によって変化する。受光素子４４は、偏光板４３を通過する偏光光を受光部４４ａにより受けて、受光光量の変化を波形として出力する受光手段である。
【００６８】
この受光素子４４からの光量測定出力信号は、図示しないＡ／Ｄ変換器等を介してデジタル信号に変換された後に、測定手段たるシステム制御マイクロコンピュータ５１へ出力されるようになっている。
【００６９】
また、偏光旋回液晶セル２２，２４の近傍には、該偏光旋回液晶セル２２，２４の温度を測定するための温度検出手段たる温度検出装置５５が、制御の必要に応じて配設されるようになっている。この温度検出装置５５からの温度測定出力信号も、デジタル信号に変換された後に、システム制御マイクロコンピュータ５１へ出力されるようになっている。
【００７０】
システム制御マイクロコンピュータ５１は、液晶セル駆動回路５４を制御して、偏光旋回液晶セル２２，２４を駆動するようになっている。そして、システム制御マイクロコンピュータ５１は、液晶セル駆動回路５４の駆動波形に対する、受光素子４４の受光波形の時間的関係を把握している。そして、システム制御マイクロコンピュータ５１は、同一時間に係る駆動波形と受光波形とに基づいて、画像情報補正演算手段たる補正演算ブロック５２に設定すべき補正パラメータを算出する。このとき、システム制御マイクロコンピュータ５１は、必要時応じて、温度検出装置５５からの温度情報を考慮して、補正パラメータを決定するようになっている。
【００７１】
補正演算ブロック５２は、算出された補正パラメータに基づき、最適な偏光特性が得られるように画像情報を補正するとともに、後述するように画素ずらし用の面順次化を行う。
【００７２】
表示制御部２９は、補正演算ブロック５２から出力される信号を表示に適した信号形式に変換し、表示部２１へ出力する。こうして、表示部２１により補正後の画像が表示される。
【００７３】
こうして補正された画像情報は、表示制御部２９へ出力され、表示部２１に表示が行われる。
【００７４】
また、システム制御マイクロコンピュータ５１内には、上述した光源発光回路５３に点灯のオン／オフを指令し、該光源発光回路５３による点灯の制御を行うための点灯制御回路５１ａが設けられている。
【００７５】
なお、第１の画素ずらしユニット２０は、偏光旋回液晶セル２２および複屈折板２３を含む画素ずらし部と、偏光旋回液晶セル２２を挟み込むように配設されたセンサユニット２６と、必要に応じて配設される温度検出装置５５と、を含んで構成されている。
【００７６】
同様に、第２の画素ずらしユニット２０は、偏光旋回液晶セル２４および複屈折板２５を含む画素ずらし部と、偏光旋回液晶セル２４を挟み込むように配設されたセンサユニット２７と、必要に応じて配設される温度検出装置５５と、を含んで構成されている。
【００７７】
次に、図３は画素ずらし部により光線シフトを行って４点画素ずらしを行う作用を説明するための図である。
【００７８】
本実施形態の画素ずらし部６は、第１の偏光旋回液晶セル２２と第２の偏光旋回液晶セル２４とへ印加する電圧のオンとオフとを組み合わせることにより、画素位置Ａ、画素位置Ｂ、画素位置Ｃ、画素位置Ｄの４点に画素ずらしを行うように構成されたものとなっている。ここに、偏光旋回液晶セル２２，２４は、オンのときに偏光方向の旋回を行わず、オフのときに偏光方向を９０°旋回するものとなっている。
【００７９】
まず、図３（Ａ）は、表示部２１からの光線が直進してシフトが行われず、画素位置Ａに到達する場合を示している。この状態は、第１の偏光旋回液晶セル２２の印加電圧をオフ、第２の偏光旋回液晶セル２４の印加電圧をオフとすることにより達成される。このとき、表示部２１からの垂直方向の偏光透過軸を有する偏光光（Ｓ偏光光）は、オフ状態の第１の偏光旋回液晶セル２２により９０°偏光旋回されて、水平方向の偏光透過軸を有する偏光光（Ｐ偏光光）に変換される。このＰ偏光光は、第１の複屈折板２３をそのまま通過する。このＰ偏光光は、オフ状態の第２の偏光旋回液晶セル２４により、Ｓ偏光光に変換される。このＳ偏光光は、第２の複屈折板２５をそのまま通過する。このようにして、画素位置Ａが達成される。
【００８０】
次に、図３（Ｃ）は、表示部２１からの光線が右方向にシフトされ、画素位置Ｃに到達する場合を示している。この状態は、第１の偏光旋回液晶セル２２の印加電圧をオフ、第２の偏光旋回液晶セル２４の印加電圧をオンとすることにより達成される。この場合には、表示部２１からの光線が第１の複屈折板２３を通過するところまでは、図３（Ａ）に示した場合と同様である。第１の複屈折板２３からのＰ偏光光は、オン状態の第２の偏光旋回液晶セル２４により、偏光状態を変えることなく、Ｐ偏光光のまま通過する。このＰ偏光光は、第２の複屈折板２５により右方向にシフトされる。このようにして、画素位置Ｃが達成される。
【００８１】
続いて、図３（Ｂ）は、表示部２１からの光線が下方向にシフトされ、画素位置Ｂに到達する場合を示している。この状態は、第１の偏光旋回液晶セル２２の印加電圧をオン、第２の偏光旋回液晶セル２４の印加電圧をオンとすることにより達成される。この場合には、表示部２１からのＳ偏光光は、オン状態の第１の偏光旋回液晶セル２２により、偏光状態を変えることなく、Ｓ偏光光のまま通過する。このＳ偏光光は、第１の複屈折板２３により下方向にシフトされる。このＳ偏光光は、オン状態の第２の偏光旋回液晶セル２４により、偏光状態を変えることなく、Ｓ偏光光のまま通過する。このＳ偏光光は、第２の複屈折板２５をそのまま通過する。このようにして、画素位置Ｂが達成される。
【００８２】
そして、図３（Ｄ）は、表示部２１からの光線が右下方向にシフトされ、画素位置Ｄに到達する場合を示している。この状態は、第１の偏光旋回液晶セル２２の印加電圧をオン、第２の偏光旋回液晶セル２４の印加電圧をオフとすることにより達成される。この場合には、表示部２１からの光線が第１の複屈折板２３により下方向にシフトされるところまでは、図３（Ｂ）に示した場合と同様である。第１の複屈折板２３からのＳ偏光光は、オフ状態の第２の偏光旋回液晶セル２４により９０°偏光旋回されて、Ｐ偏光光に変換される。このＰ偏光光は、第２の複屈折板２５により右方向にシフトされる。このようにして、画素位置Ｄが達成される。
【００８３】
次に、図４は、単板色面順次表示方式のカラー画像表示装置における画素ずらしのタイミングチャートである。
【００８４】
１枚のカラー画像を表示するフレーム周期は、例えば３０Ｈｚとなっている。この１フレーム内で、Ｒ，Ｇ，Ｂの三色が時分割で表示されるようになっており、その周期（カラーフレーム周期と呼ぶ）は９０Ｈｚである。そして、１カラーフレーム内で画素位置Ａ〜画素位置Ｄまでの４点画素ずらしが行われるために、１つの画素位置の表示に使用される周期（サブフレーム周期と呼ぶ）は３６０Ｈｚとなる。なお、画素ずらしの１つの状態期間を示すサブフレームは、表示部２１の駆動限界周波数や偏光旋回液晶セル２２，２４の応答特性に基づき決定されることになるために、図に示した３６０Ｈｚは一例である。
【００８５】
そして、１カラーフレーム内で、第１サブフレームにおいて第１の偏光旋回液晶セル２２がオフかつ第２の偏光旋回液晶セル２４がオフ、第２サブフレームにおいて第１の偏光旋回液晶セル２２がオフかつ第２の偏光旋回液晶セル２４がオン、第３サブフレームにおいて第１の偏光旋回液晶セル２２がオンかつ第２の偏光旋回液晶セル２４がオン、第１サブフレームにおいて第１の偏光旋回液晶セル２２がオンかつ第２の偏光旋回液晶セル２４がオフとなるように駆動される。従って、画素位置は、各色について、Ａ→Ｃ→Ｂ→Ｄのように変化することになる（図３も参照）。
【００８６】
続いて、図５〜図７を参照して、センサユニットの幾つかの構成例について説明する。これら図５〜図７に示す例は、元来意図した偏光方向の光と、意図していないこれに直交する偏光方向の光と、の両方を検出する構成例となっている。
【００８７】
まず、図５は、各偏光旋回液晶セル２２，２４毎に、平行ニコルおよびクロスニコルに３枚の偏光板、２個の測定用光源、および２個の受光素子を固定的に配置した構成例を示す斜視図である。
【００８８】
上述したように、表示部２１、第１の偏光旋回液晶セル２２、第１の複屈折板２３、第２の偏光旋回液晶セル２４、第２の複屈折板２５が、光路上に順に配設されている。
【００８９】
これらの内の第１の偏光旋回液晶セル２２は、表示用領域２２ａから側方に突出するように検出用領域２２ｂを備えている。この検出用領域２２ｂを通り表示光束の光路と平行となるように、該検出用領域２２ｂの一方の側（図示の例では表示部２１側）に２つの測定用光源４１Ａ１，４１Ａ２および１つの偏光板４２Ａが、他方の側（図示の例では第１の複屈折板２３側）に２つの偏光板４３Ａｐ，４３Ａｓおよび受光手段たる２つの受光素子４４Ａ１，４４Ａ２が、それぞれ配設されている。
【００９０】
偏光板４２Ａは、測定用光源４１Ａ１，４１Ａ２から発せられた光の内の、一偏光方向の光のみを通過させるものであり、例えばＰ偏光光のみを通過させる第１の偏光手段となっている。
【００９１】
また、偏光板４３Ａｐは、偏光板４２Ａと同一の方向の偏光透過軸を有するように配設された第２の偏光手段（平行ニコル）であり、上述した例ではＰ偏光光のみを通過させるものとなっている。偏光旋回液晶セル２２は、上述したようにオフのときに偏光状態を９０°旋回するものである。従って、平行ニコルに配設された２枚の偏光板４２Ａ，４３Ａｐを通過しようとする光は、偏光旋回液晶セル２２がオフのときには通常は遮光される（後で詳しく説明するように、楕円偏光の光になるために、厳密には遮光されない。）。こうして平行ニコルは、ノーマリーブラック（ＮＢ）状態を測定するための配置となっている。
【００９２】
一方、偏光板４３Ａｓは、偏光板４２Ａと直交する方向の偏光透過軸を有するように配設された第２の偏光手段（クロスニコル）であり、上述した例ではＳ偏光光のみを通過させるものとなっている。従って、クロスニコルに配設された２枚の偏光板４２Ａ，４３Ａｓを通過しようとする光は、偏光旋回液晶セル２２がオフのときには通常はそのまま通過する（上述したように、楕円偏光の光になるために、厳密には光の一部が遮光される。）。こうしてクロスニコルは、ノーマリーホワイト（ＮＷ）状態を測定するための配置となっている。
【００９３】
このようにして、測定用光源４１Ａ１から発光された光は、平行ニコルに配置された２枚の偏光板４２Ａ，４３Ａｐを介して、受光素子４４Ａ１により受光されるようになっている（第１の測定光の光路）。また、測定用光源４１Ａ２から発光された光は、クロスニコルに配置された２枚の偏光板４２Ａ，４３Ａｓを介して、受光素子４４Ａ２により受光されるようになっている（第２の測定光の光路）。このように、測定用光源と受光素子とは、偏光方向毎に独立して、固定的に設けられている。
【００９４】
さらに、各測定用光源４１Ａ１，４１Ａ２から第１の偏光旋回液晶セル２２の検出用領域２２ｂに至る光路上の、例えば偏光板４２Ａと検出用領域２２ｂとの間には、カラーフィルタ４５Ａが介挿されるようになっている。このカラーフィルタ４５Ａは、Ｒ色フィルタ４５Ａｒ，Ｇ色フィルタ４５Ａｇ，Ｂ色フィルタ４５Ａｂを例えば上下方向に配列して構成されており、何れかの色フィルタが上述した２つの測定光の光路上に配設されるようにカラーフィルタ位置制御機構４６Ａにより制御されるようになっている。このカラーフィルタ位置制御機構４６Ａは、上述したカラーフィルタ位置制御機構４６と同様に、例えばラック４６Ａａとモータ４６Ａｂとを有して構成されている。
【００９５】
また、第２の偏光旋回液晶セル２４は、表示用領域２４ａから下方に突出するように検出用領域２４ｂを備えている。この検出用領域２４ｂを通り表示光束の光路と平行となるように、該検出用領域２４ｂの一方の側（表示部２１側）に図示しない２つの測定用光源および第１の偏光手段たる１つの偏光板４２Ｂが、他方の側（図示の例では第２の複屈折板２５側）に第２の偏光手段たる２つの偏光板４３Ｂｐ，４３Ｂｓおよび受光手段たる２つの受光素子４４Ｂ１，４４Ｂ２が、それぞれ配設されている。
【００９６】
そして、上述と同様に、偏光板４２Ｂと偏光板４３Ｂｐとは平行ニコルに（例えば何れもＰ偏光光のみを通過させるように）、偏光板４２Ｂと偏光板４３Ｂｓとはクロスニコルに（例えば偏光板４３ＢｓはＳ偏光光のみを通過させるように）、それぞれ配設されている。
【００９７】
さらに、各測定用光源から第２の偏光旋回液晶セル２４の検出用領域２４ｂに至る光路上の、例えば偏光板４２Ｂと検出用領域２４ｂとの間には、カラーフィルタ４５Ｂが介挿されるようになっている。このカラーフィルタ４５Ｂは、Ｒ色フィルタ４５Ｂｒ，Ｇ色フィルタ４５Ｂｇ，Ｂ色フィルタ４５Ｂｂを例えば左右方向に配列して構成されており、何れかの色フィルタが２つの測定光の光路上に配設されるようにカラーフィルタ位置制御機構４６Ｂにより制御されるようになっている。このカラーフィルタ位置制御機構４６Ｂも、上述したカラーフィルタ位置制御機構４６Ａと同様に、例えばラック４６Ｂａとモータ４６Ｂｂとを有して構成されている。
【００９８】
この図５に示したような構成によれば、偏光旋回液晶セルの偏光特性を測定する必要が生じたときに、直ちに測定することが可能となる。従って、偏光特性による偽色等のノイズ除去の演算処理パラメータを迅速に変更することができ、高品質な画像表示を常時行うことが可能となる。
【００９９】
次に、図６は、各偏光旋回液晶セル２２，２４毎に、平行ニコルとクロスニコルとを時分割で切り換え可能に３枚の偏光板、１個の測定用光源、および１個の受光素子を配置した構成例を示す斜視図である。この図６において、上述した図５と同様である部分については説明を適宜省略する。
【０１００】
この図６に示す構成は、図５に示すような構成から、測定用光源４１Ａ２と受光素子４４Ａ２とが省略されており、設けられていない。これに対応して、偏光板４２Ａも図５に示したような縦長の矩形から、ほぼ正方形の形状に変更されている。
【０１０１】
また、偏光板４３Ａｐ，４３Ａｓは一体的に枠部材４７Ａａに組み付けられている。そして、これらの偏光板４３Ａｐ，４３Ａｓは、切替手段たる第１の偏光板位置制御機構４７Ａにより、図６の例えば上下方向に移動可能に構成されていて、測定用光源４１Ａ１と受光素子４４Ａ１との間の光路上に択一的に介挿され得るようになっている。なお、第１の偏光板位置制御機構４７Ａは、例えば、枠部材４７Ａａの辺縁に設けられたラック４７Ａｂと、モータ４７Ａｃと、を含んで構成されている。
【０１０２】
次に、第２の偏光旋回液晶セル２４の偏光特性を測定するための第２のセンサユニット２７も、上述したような第１の偏光旋回液晶セル２２の偏光特性を測定するための第１のセンサユニット２６と同様に、２つの測定用光源の内の一方が省略され、これに対応する受光素子４４Ｂ２も省略されている。そして、偏光板４２Ｂがほぼ正方形の形状に変更されるとともに、偏光板４３Ｂｐ，４３Ｂｓが、一体的に枠部材４７Ｂａに組み付けられて、切替手段たる第２の偏光板位置制御機構４７Ｂにより例えば左右方向に移動可能となっている。なお、第２の偏光板位置制御機構４７Ｂも、上述した第１の偏光板位置制御機構４７Ａと同様に、例えば、枠部材４７Ｂａの辺縁に設けられたラック４７Ｂｂと、モータ４７Ｂｃと、を含んで構成されている。
【０１０３】
この図６に示したような構成によれば、ノーマリーブラック測定とノーマリーホワイト測定とを同時的に行うことはできないが、時分割で行うことは可能である。そして、このような構成を採用することにより、１組の測定用光源と受光素子とを用いるだけでノーマリーブラック測定とノーマリーホワイト測定とを行うことができるために、測定用光源の特性および受光素子の特性がノーマリーブラック測定とノーマリーホワイト測定とで各同一の特性となり、測定データの補正が不要になると共に、構成を簡単にして製造コストを下げることができる。
【０１０４】
なお、この図６に示した構成においては、２つの偏光板の位置を移動させて切り替えることにより、偏光手段の配置をクロスニコル状態と平行ニコル状態の２つの状態に切り替えるようにしているが、これに限らず、例えば１つの偏光板を９０°回転させるようにしても構わない。
【０１０５】
次に、図７は、画素ずらし部６における表示光束が通過する光路内に、ノーマリーブラック測定とノーマリーホワイト測定とを行うための偏光板および受光素子を出入可能となるように配設した構成例を示す斜視図である。
【０１０６】
この図７に示すセンサユニットは、受光手段たる２つの受光素子４４Ａ，４４Ｂを備えており、これらの受光素子４４Ａ，４４Ｂの光路上前方に第２の偏光手段たる偏光板４３ｐ，４３ｓがそれぞれ配設されている。そして、移動手段たるセンサユニット位置制御機構４８が、これらの受光素子４４Ａ，４４Ｂおよび偏光板４３ｐ，４３ｓを一体的に、表示光束が通過する光路内に出入させ得るようになっている。ここに、センサユニット位置制御機構４８は、例えば、ラック４８ａとモータ４８ｂとを含んで構成されている。なお、このセンサユニットは、第２の複屈折板２５の光路上の直後に出入され得るように構成されている。
【０１０７】
このような構成においては、図５や図６に示したような測定用光源や測定用のカラーフィルタは設けられておらず、これらの代わりに表示用光源１１やカラーホイール１２を用いるようになっている。さらに、第１の偏光板４２（第１の偏光手段）の機能は、画像変調手段である照明部５および表示部２１が兼ねるようになっている。
【０１０８】
また、この図７に示したような構成を用いて偏光特性の測定を行う際には、全画素が最大の白レベルになるような均一な画像情報が表示部２１に入力されるようになっている。
【０１０９】
このような構成では、通常の画像を表示中に測定を行うことはできないために、例えば画像表示装置の起動時や終了時等の、通常の画像を表示していないときに行うことになる。また、この構成においては、第１の偏光旋回液晶セル２２の測定と、第２の偏光旋回液晶セル２４の測定とを、これらが光路方向に重畳された状態で同時に行うことになる。あるいは、上述した構成のセンサユニットを２組設けて、一方の組を第１の偏光旋回液晶セル２２の光路上の直後に、他方の組を第２の偏光旋回液晶セル２４の光路上直後に、それぞれ出入可能に設けて、より高精度な測定を行うようにしても構わない。
【０１１０】
この図７に示したような構成によれば、測定用光源や測定用のカラーフィルタが不要となるために、構成を簡単にすることができる。
【０１１１】
次に、図８は、この画像表示装置の主として電気的な構成を示すブロック図である。
【０１１２】
この画像表示装置は、一部は既に述べたように、測定用光源４１と、偏光板４２と、カラーフィルタ４５ｒ，４５ｇ，４５ｂと、偏光旋回液晶セル２２，２４と、偏光板４３と、受光素子４４と、カラーフィルタ位置制御機構４６と、温度検出装置５５と、システム制御マイクロコンピュータ５１と、補正演算ブロック５２と、光源発光回路５３と、偏光板偏光方向制御部４７と、電源スイッチ５６と、偏光特性補正処理部電源５７と、面順次タイミング制御回路５８と、画素ずらし面順次化部５９と、液晶セル駆動回路５４と、表示制御部２９と、表示部２１と、映像切替操作ボタン６１と、第１映像入力端子６２ａ，第２映像入力端子６２ｂ，第３映像入力端子６２ｃと、第１信号検出回路６３ａ，第２信号検出回路６３ｂ，第３信号検出回路６３ｃと、入力選択スイッチ６４と、ズーム／焦点位置情報検出部３３と、を有している。
【０１１３】
システム制御マイクロコンピュータ５１は、点灯制御回路５１ａと、温度レジスタ５１ｂと、偏光特性計算部５１ｃと、補正処理パラメータ演算部５１ｄと、パラメータ記憶部５１ｅと、映像切替制御回路５１ｆと、カラーフィルタ位置制御回路５１ｇと、を有している。
【０１１４】
また、補正演算ブロック５２は、上述したシステム制御マイクロコンピュータ５１における偏光特性計算部５１ｃ，補正処理パラメータ演算部５１ｄ，およびパラメータ記憶部５１ｅと、偏光特性補正処理部５２ａと、出力選択スイッチ５２ｂと、を有している。
【０１１５】
このような構成において、システム制御マイクロコンピュータ５１は、カラーフィルタ位置制御回路５１ｇから位置制御信号をカラーフィルタ位置制御機構４６へ出力し、Ｒ色フィルタ４５ｒ、Ｇ色フィルタ４５ｇ、Ｂ色フィルタ４５ｂの何れかを、測定用光源４１から受光素子４４へ向かう光軸上に配置する。なお、以下の処理は、光軸上に配置するＲ色フィルタ４５ｒ、Ｇ色フィルタ４５ｇ、Ｂ色フィルタ４５ｂを順次変更して、各カラーフィルタ４５ｒ，４５ｇ，４５ｂの全てについて行われる。
【０１１６】
そして、システム制御マイクロコンピュータ５１は、点灯制御回路５１ａにより点灯信号を光源発光回路５３に与える。すると、光源発光回路５３は、測定用光源４１を発光させるための電圧発生、電流制御等を行なって、測定用光源４１を駆動する。
【０１１７】
こうして測定用光源４１から発光される光線は、偏光板４２により一つの直線偏光状態（例えばＰ偏光状態）に整えられた後に、何れかのカラーフィルタ４５ｒ，４５ｇ，４５ｂを通過し、偏光旋回液晶セル２２，２４に入射される。
【０１１８】
面順次タイミング制御回路５８は、システム制御マイクロコンピュータ５１から偏光旋回制御信号を受けて、液晶セル駆動回路５４を介して偏光旋回液晶セル２２，２４の偏光状態を制御する。画像表示時には、これにより、画素ずらしが行われ、画素の表示位置が切り換えられることになる。画像表示とともにリアルタイムに測定を行う場合にも、同様である。
【０１１９】
これに対して、画像表示を行うことなく測定のみを行う場合には、システム制御マイクロコンピュータ５１は、面順次タイミング制御回路５８に与える偏光旋回制御信号を、特別な測定時偏光旋回制御信号に変更し、偏光旋回液晶セル２２，２４の偏光状態を強制的に制御して固定化するようになっている。
【０１２０】
偏光旋回液晶セル２２，２４を通過した偏光は、後述するように、一般に楕円偏光になる。この楕円偏光を測定用の偏光板４３を通すことで、一方向の直線偏光のみを通過させる。偏光板４３の偏光方向は、例えば上述した図５や図７に示したような構成の場合には、受光素子の出力を選択することにより切り換えることができる。また、例えば上述した図６に示したような構成の場合には、偏光板４３の偏光方向を、偏光板位置制御機構４７Ａ，４７Ｂ等を用いて切り換えることができる。
【０１２１】
システム制御マイクロコンピュータ５１は、受光素子４４からの光量測定出力信号を受けて偏光特性計算部５１ｃにより偏光特性の計算を行う。この偏光特性計算部５１ｃは、偏光特性の計算を行う際に、切替手段たる偏光板偏光方向制御部４７から出力される偏光方向情報を用いるとともに、光源発光回路５３から出力される点灯情報をトリガーとするようになっている。
【０１２２】
システム制御マイクロコンピュータ５１は、さらに、この偏光特性に基づき、補正演算ブロック５２に設定すべき補正パラメータを補正処理パラメータ演算部５１ｄにより算出する。このとき、上述したように、温度検出装置５５から随時出力される温度測定出力信号に基づき温度レジスタ５１ｂに記憶されている温度情報を考慮して、補正パラメータを決定するようにしても良い。
【０１２３】
この補正処理パラメータ演算部５１ｄにより算出された補正パラメータは、不揮発メモリ（不揮発性記憶手段）として構成されるパラメータ記憶部５１ｅに記憶されると共に、偏光特性補正処理部５２ａの行列演算係数（これについては後述する。）として利用される。
【０１２４】
なお、ここでは、パラメータ記憶部５１ｅに補正パラメータを記憶するようにしているが、偏光特性計算部５１ｃにより計算された偏光特性を記憶するようにしても良い。
【０１２５】
一方、この画像表示装置には、信号入力手段を構成する複数（例えば３つ）の映像入力端子が、上述したように、第１映像入力端子６２ａ，第２映像入力端子６２ｂ，第３映像入力端子６２ｃとして設けられていて、これらの各映像入力端子６２ａ，６２ｂ，６２ｃには、外部の映像ソースが接続されて、映像信号が入力され得るようになっている。これらの各映像入力端子６２ａ，６２ｂ，６２ｃは、信号入力手段を構成する入力選択スイッチ６４に接続されている。
【０１２６】
また、第１映像入力端子６２ａは第１信号検出回路６３ａに、第２映像入力端子６２ｂは第２信号検出回路６３ｂに、第３映像入力端子６２ｃは第３信号検出回路６３ｃに、それぞれ接続されていて、有効な映像信号の入力があるか否かが検出されるようになっている。
【０１２７】
信号入力手段を構成するこれらの第１信号検出回路６３ａ，第２信号検出回路６３ｂ，第３信号検出回路６３ｃは、システム制御マイクロコンピュータ５１内の映像切替制御回路５１ｆへそれぞれ接続されている。
【０１２８】
この画像表示装置には、さらに、映像切替操作ボタン６１が設けられており、上述した各映像入力端子６２ａ，６２ｂ，６２ｃの何れから入力される映像を表示するかを選択することができるように構成されている。この映像切替操作ボタン６１の出力は、上述した映像切替制御回路５１ｆに接続されている。
【０１２９】
この映像切替制御回路５１ｆは、さらに、入力選択スイッチ６４に接続されている。そして、映像切替操作ボタン６１からの操作入力に従って、第１映像入力端子６２ａからの映像信号と、第２映像入力端子６２ｂからの映像信号と、第３映像入力端子６２ｃからの映像信号と、の何れを表示に用いるかを切り替えるようになっている。ただし、使用者が入力選択スイッチ６４により指定した映像入力端子から映像信号が入力されておらず該端子が無効であることが各信号検出回路６３ａ，６３ｂ，６３ｃにより検出されている場合には、その旨の警告表示等を行ったり、あるいは有効であることが検出されている映像入力端子の中から、所定の優先順位に従った入力端子を自動的に選択したりするようになっている。
【０１３０】
この入力選択スイッチ６４により選択された映像信号は、補正演算ブロック５２内の偏光特性補正処理部５２ａと出力選択スイッチ５２ｂとに入力される。
【０１３１】
この出力選択スイッチ５２ｂは、補正処理パラメータ演算部５１ｄからの切替信号に応じて、偏光特性補正処理部５２ａからの補正された画像情報と、入力選択スイッチ６４からの未補正の画像情報と、の何れを表示用の画像情報として出力するかを選択するようになっている。
【０１３２】
すなわち、補正処理パラメータ演算部５１ｄは、例えば、測定して得られた偏光旋回液晶の偏光特性が、補正処理を必要としない程度に良い場合や、あるいはズーム／焦点位置情報検出部３３から得られるズーム情報や焦点位置（投射光学系３１からスクリーン２の像面までの距離）情報に基づき算出される画像の拡大倍率が小さく偏光特性の変化に基づく画像の劣化が視覚的な観察にほぼ影響を与えない程度である場合などに、偏光特性補正処理を行うことなく未補正の画像情報をそのまま用いると決定して、その旨の切替信号を出力選択スイッチ５２ｂへ出力するようになっている。
【０１３３】
システム制御マイクロコンピュータ５１は、さらに、偏光特性補正処理を行わないと決定した場合には、電源制御手段たる偏光特性補正処理部電源５７へ指令を出力して、偏光特性補正処理部５２ａへの電源供給をオフするようになっている。これにより、消費電力の低減を図ることが可能となる。また、偏光特性補正処理部５２ａを構成する演算処理チップに例えば取り付けられている冷却ファンを停止することができ、静音化を図ることも可能となる。さらに、偏光特性補正処理部電源５７を含むこの画像表示装置全体の電源部の消費電力を低減することにより、該電源部の冷却ファンの単位時間当たりの回転数を落とすことができ、静音化を図ることが可能となる。
【０１３４】
上述したように出力選択スイッチ５２ｂから出力される画像データは、補正演算ブロック５２内の画素ずらし面順次化部５９により時間軸変換される。この時間軸変換について、図１２を参照して説明する。図１２は、画像情報の画素配列の一例を示す図である。
【０１３５】
図１２に示すような画像情報（ＲＧＢの内の何れか１色に係る画像情報を示しているものとする。）がある場合に、上述した映像入力端子６２ａ，６２ｂ，６２ｃからは、一般的に、Ａ11Ｃ11Ａ12Ｃ12…Ｂ11Ｄ11Ｂ12Ｄ12…Ａ21Ｃ21Ａ22Ｃ22…Ｂ21Ｄ21Ｂ22Ｄ22…などのようなライン単位の順序で読み出しが行われる。これに対して、この画像表示装置は、図４に示したように、１カラーフレーム内で４つのサブフレームに分割して画素位置Ａ，Ｃ，Ｂ，Ｄの表示を行うために、画素ずらしの面順序に従った変換を行う必要がある。そこで、画素ずらし面順次化部５９は、上述のような順序で読み出された各画素データを、Ａ11Ａ12…Ａ21Ａ22…Ｃ11Ｃ12…Ｃ21Ｃ22…Ｂ11Ｂ12…Ｂ21Ｂ22…Ｄ11Ｄ12…Ｄ21Ｄ22…のような画素ずらし面順次表示に適した順序に変換するものとなっている。
【０１３６】
こうして変換された画素ずらし面順次の画像情報は、面順次タイミング制御回路５８から出力される面順次タイミング制御信号に基づいて、画素ずらし面順次化部５９から表示制御部２９へ出力されるようになっている。
【０１３７】
この面順次タイミング制御回路５８は、システム制御マイクロコンピュータ５１から出力される偏光旋回制御信号に応じて、面順次タイミングを制御するものである。すなわち、この面順次タイミング制御回路５８は、液晶セル駆動回路５４に接続されていて、この液晶セル駆動回路５４から偏光旋回液晶セル２２，２４へ出力される偏光旋回制御信号の出力タイミングを制御するようになっている。これにより、偏光旋回液晶セル２２，２４の駆動タイミングと、表示部２１による面順次サブフレーム（図４参照）の表示タイミングと、が同期して、画素ずらし表示を行うことができるようになっている。
【０１３８】
画素ずらし面順次化部５９から出力される画素ずらし面順次の画像情報は、表示制御部２９により表示部２１の入力に適した信号形式に変換され、出力される。こうして、表示部２１は、画像データを表示光に変換する。この表示光が、図１に示したような画素ずらし部６および表示光学部７を介してスクリーン２へ投影され、観察可能となる。
【０１３９】
次に、図９は、偏光旋回制御信号の駆動波形と、受光素子から得られる光量測定出力信号の波形と、を示す線図である。
【０１４０】
偏光旋回液晶セル２２，２４は、上述したように、基本的には、オフ（ローレベル：Ｌｏ）のときに偏光方向を９０°旋回し、オン（ハイレベル：Ｈｉ）のときには偏光方向の旋回を行わないように構成されている。
【０１４１】
従って、平行ニコルに配置された２枚の偏光板を介した測定結果は、偏光旋回液晶セル２２，２４がオフのときに黒（ノーマリーブラックの黒レベルであるために、そのレベルを以下ではＮＢ（Ｂ）と記載する。）、オンのときに白（同様に、そのレベルをＮＢ（Ｗ）と記載する。）となる。
【０１４２】
一方、クロスニコルに配置された２枚の偏光板を介した測定結果は、偏光旋回液晶セル２２，２４がオフのときに白（ノーマリーホワイトの白レベルであるために、そのレベルを以下ではＮＷ（Ｗ）と記載する。）、オンのときに黒（同様に、そのレベルをＮＷ（Ｂ）と記載する。）となる。
【０１４３】
ただし、偏光旋回液晶セル２２，２４は、オフのときに偏光方向を完全に９０°旋回し得るものとはなっていないのが一般的であるために、偏光旋回液晶セル２２，２４を通過する光は正確には楕円偏光となっており、図９に示すように、ＮＢ（Ｂ）は完全な黒にならず、ＮＷ（Ｗ）は完全な白（なお、完全な白を、相対的な輝度Ｌにおいて１．０としている。）にはならない。
【０１４４】
一方、偏光旋回液晶セル２２，２４をオンしたときには、入射した光の偏光方向は、ほぼ完全に変化することなく、そのままの偏光方向で通過すると考えて良い。ただし、基本的にはほぼ完全であると考えて良いが、それにも関わらず、ごく僅かな誤差が存在する可能性は否定し得ない。さらに、測定系においては、表示系に存在しない２枚の偏光板４２，４３を用いているが、これら偏光板４２，４３から出力される光が完全な直線偏光（理想直線偏光）光になるとは限らないために、これらの影響も考え合わせると、ＮＢ（Ｗ）は完全な白にごく僅かに届かず、ＮＷ（Ｂ）は完全な黒からごく僅かに浮いていることが考えられる。この図９における相対輝度は、このような完全な黒からのずれ、および完全な白からのずれを示している。
【０１４５】
また、偏光旋回液晶セル２２，２４には応答時間が存在しており、オンしたときには比較的短い応答時間を経て、オフしたときには比較的長い応答時間を経て、それぞれの定状態へ移行することが、相対輝度Ｌのグラフから読み取れる。
【０１４６】
図１０は、偏光旋回液晶セル２２，２４をオンにしているときの、偏光板による理想直線偏光からのズレを説明するための線図である。なお、この図１０においては、説明内容を明確に図面に示すために、実際のズレよりも誇張して記載している。
【０１４７】
ここでは、理想直線偏光が行われた場合に、完全なＰ偏光光が射出されるものとする。この理想偏光光のＰＳ平面におけるベクトルＶＡの（Ｐ，Ｓ）成分は、（１，０）となる。これに対して、偏光板よる偏光が、理想直線偏光からずれて僅かな楕円偏光となった場合には、Ｓ成分も僅かに存在し、そのベクトルＶＢの成分は、（ＮＢ（Ｗ），ＮＷ（Ｂ））となる（ただし、この成分は、正規化が行われていないものである）。従って、このベクトルＶＢの、正規化後のＰ成分は（［ＮＢ（Ｗ）／｛ＮＢ（Ｗ）＋ＮＷ（Ｂ）｝］，０）、正規化後のＳ成分は（０，［ＮＷ（Ｂ）／｛ＮＢ（Ｗ）＋ＮＷ（Ｂ）｝］）となる。
【０１４８】
次に、図１１は、２枚の偏光旋回液晶セル２２，２４の少なくとも一方がオフ状態になっているときに楕円偏光が発生することを説明するための線図である。なお、この図１１においても、説明内容を明確に図面に示すために、実際の楕円偏光状態よりも誇張して記載している。
【０１４９】
まず、第１の偏光旋回液晶セル２２および第２の偏光旋回液晶セル２４の両方がオンになっているときには、上述したように、ほぼ完全なＰ偏光の直線偏光が得られるものとする（図１０に示したように、わずかなズレが生じている可能性があるが、この図１１においてはほぼ完全なＰ偏光の直線偏光が得られる場合を図示しておく。）。このときのベクトルＶ１の（Ｐ，Ｓ）成分は、Ｖ１＝（ＮＢ（Ｗ），ＮＷ（Ｂ））である。
【０１５０】
次に、第１の偏光旋回液晶セル２２と第２の偏光旋回液晶セル２４との内の一方がオンで他方がオフになっているときには、基本的には偏光方向が９０°旋回されるために、理想的にはＳ偏光の光が得られるはずである。しかし、上述したように、オフ状態の偏光旋回液晶セルの楕円偏光によるズレが生じているために、このときに得られるベクトルＶ２には、Ｐ成分が残っており、その成分は、Ｖ２＝（ＮＢ（Ｂ），ＮＷ（Ｗ））となる。すなわち、このベクトルＶ２の、正規化後のＰ成分は（［ＮＢ（Ｂ）／｛ＮＷ（Ｗ）＋ＮＢ（Ｂ）｝］，０）、正規化後のＳ成分は（０，［ＮＷ（Ｗ）／｛ＮＷ（Ｗ）＋ＮＢ（Ｂ）｝］）となる。
【０１５１】
同様に、第１の偏光旋回液晶セル２２と第２の偏光旋回液晶セル２４との両方がオフになっているときには、偏光方向の理想的な１８０°旋回は行われず、ベクトルＶ３に示すようにＳ成分およびＰ成分の両方が存在し、ベクトルＶ３のＰ成分はＶ３ｐ、Ｓ成分はＶ３ｓとなる。
【０１５２】
受光素子４４から得られる光量測定出力信号に基づき、偏光特性計算部５１ｃは、このような偏光方向のズレを測定することができる。このときに、偏光特性計算部５１ｃが算出する偏光特性としての各偏光比は、次の数式１に示すようになる。  
［数１］
2007219301.tif 000003
ここに、ＲＮＷ（Ｗ）はＮＷ測定白偏光比を、ＲＮＷ（Ｂ）はＮＷ測定黒偏光比を、ＲＮＢ（Ｂ）はＮＢ測定黒偏光比を、ＲＮＢ（Ｗ）はＮＢ測定白偏光比を、それぞれ示している。
【０１５３】
なお、これらの各偏光比は、各色毎に測定される光量測定出力信号に基づき算出されるために、ＲＧＢの各色毎に独立して存在する。
【０１５４】
また、偏光特性は、１回の測定値に基づき算出することも可能であるが、複数回の測定を行って複数の偏光特性を算出し、算出した複数の偏光特性の平均値を偏光特性とすると良い。これにより、測定誤差を低減することが可能となるためである。
【０１５５】
なお、図１０に示したような偏光板による理想直線偏光との誤差がほぼ無視できる場合には、次の数式２における第１式および第２式に示すような近似を行うことができる。さらに、偏光板による光量の損失がほぼないものと想定できる場合には、次の数式２における第３式に示すような近似を行うことができる。  
［数２］
ＮＷ（Ｂ）≒０
ＮＢ（Ｗ）≒１
ＮＢ（Ｂ）＋ＮＷ（Ｗ）≒１
【０１５６】
このような近似式を用いれば、数式１は、次の数式３に示すように書き換えることができる。  
［数３］
ＲＮＷ（Ｗ）≒１−Ｒ
ＲＮＷ（Ｂ）≒０
ＲＮＢ（Ｂ）≒Ｒ
ＲＮＢ（Ｗ）≒１
ここに、Ｒは偏光比であり、ＮＢ測定黒偏光比ＲＮＢ（Ｂ）がこれにほぼ該当している。
【０１５７】
従って、平行ニコル状態における黒レベルＮＢ（Ｂ）のみを測定すれば、各偏光比を近似的に算出することが可能となる。これは、偏光特性を近似的に算出すれば足りる場合には、偏光板を平行ニコルとクロスニコルとの両方に配置する必要はなく、平行ニコルの配置のみでも足りることを意味している。そして、平行ニコルの配置のみを採用する場合には、構成を追加することなく、平行ニコル状態における黒レベルＮＢ（Ｂ）に加えて、さらに平行ニコル状態における白レベルＮＢ（Ｗ）も測定することが可能であるために、これらの比を演算して偏光特性とすることも可能である。
【０１５８】
次に、図１３は、偏光特性補正パラメータ演算の基本的な動作を示すフローチャートである。
【０１５９】
この処理を開始すると、まず、偏光特性の検出を行う（ステップＳ１）。すなわち、カラーフィルタ４５ｒ，４５ｇ，４５ｂの何れか、例えばＲ色フィルタ４５ｒを、測定用光源４１から受光素子４４へ向かう光軸上に配置して、偏光旋回液晶セル２２，２４の偏光方向と、必要に応じて偏光板４２，４３の偏光方向と、を制御しながら、受光素子４４から出力される光量測定出力信号に基づき、偏光特性計算部５１ｃにより偏光特性を算出する。ここで算出する偏光特性は、ノーマリーホワイト測定の白レベルＮＷ（Ｗ）、ノーマリーホワイト測定の黒レベルＮＷ（Ｂ）、ノーマリーブラック測定の白レベルＮＢ（Ｗ）、ノーマリーブラック測定の黒レベルＮＢ（Ｂ）、の各数値である。その後、Ｇ色フィルタ４５ｇ、Ｂ色フィルタ４５ｂについても、順次、測定用光源４１から受光素子４４へ向かう光軸上に配置し、同様の検出を行う。
【０１６０】
続いて、補正処理パラメータ演算部５１ｄが、上述したように算出された偏光特性に基づき、Ｒ色，Ｇ色，Ｂ色の各色毎に、混色係数行列を演算する（ステップＳ２）。
【０１６１】
ここで、この混色係数行列について説明する。
【０１６２】
まず、Ｒ色に係る混色係数行列は、Ｒ色の４点画素ずらしに係る表示部２１の画素位置Ａ，Ｂ，Ｄ，Ｃへの入力画像情報を（ＩＮAR(n)，ＩＮBR(n)，ＩＮDR(n)，ＩＮCR(n)）とし、この画像情報をスクリーン２に投影して、投影画像を測定して得られる出力画像情報を（ＯＵＴAR(n)，ＯＵＴBR(n)，ＯＵＴDR(n)，ＯＵＴCR(n)）とするとき、入力画像情報と出力画像情報との次の数式４に示すような変換行列ＫR(n)として定義される。  
［数４］
2007219301.tif 000004
ここに、ｎは、２×２画素ブロックに順に付した番号で、時系列のフレーム番号を表している。具体的には、図１２に示した画素配置において、添え字「１１」の画素ブロックにｎ＝１を、添え字「１２」の画素ブロックにｎ＝２を、などのように順に付すことに相当している。
【０１６３】
なお、数式４中の第２式の変換行列ＫR(n)の定義における各偏光比は、Ｒカラーフィルタを介挿して受光素子４４から得られた測定結果に基づき、数式１に示すように算出されたものである。
【０１６４】
同様に、Ｇ色に係る混色係数行列は、Ｇ色の４点画素ずらしに係る表示部２１の画素位置Ａ，Ｂ，Ｄ，Ｃへの入力画像情報を（ＩＮAG(n)，ＩＮBG(n)，ＩＮDG(n)，ＩＮCG(n)）とし、この画像情報をスクリーン２に投影して、投影画像を測定して得られる出力画像情報を（ＯＵＴAG(n)，ＯＵＴBG(n)，ＯＵＴDG(n)，ＯＵＴCG(n)）とするとき、入力画像情報と出力画像情報との次の数式５に示すような変換行列ＫG(n)として定義される。  
［数５］
2007219301.tif 000005
【０１６５】
ただし、第２式の変換行列ＫG(n)の定義における各偏光比は、Ｇカラーフィルタを介挿して受光素子４４から得られた測定結果に基づき、数式１に示すように算出されたものであり、「ｎ」の意味は数式４と同一である。
【０１６６】
さらに、Ｂ色に係る混色係数行列は、Ｂ色の４点画素ずらしに係る表示部２１の画素位置Ａ，Ｂ，Ｄ，Ｃへの入力画像情報を（ＩＮAB(n)，ＩＮBB(n)，ＩＮDB(n)，ＩＮCB(n)）とし、この画像情報をスクリーン２に投影して、投影画像を測定して得られる出力画像情報を（ＯＵＴAB(n)，ＯＵＴBB(n)，ＯＵＴDB(n)，ＯＵＴCB(n)）とするとき、入力画像情報と出力画像情報との次の数式６に示すような変換行列ＫB(n)として定義される。  
［数６］
2007219301.tif 000006
【０１６７】
ただし、第２式の変換行列ＫB(n)の定義における各偏光比は、Ｂカラーフィルタを介挿して受光素子４４から得られた測定結果に基づき、数式１に示すように算出されたものであり、「ｎ」の意味は数式４および数式５と同一である。
【０１６８】
偏光旋回液晶セル２２，２４が理想的な偏光特性を持っている場合には、これらの各色に係る混色係数行列は、入力画像情報と出力画像情報とが正規化されていれば単位行列になるはずのものである。しかし、上述したように偏光旋回液晶セル２２，２４は楕円偏光となる傾向があるために、非対角成分が０ではなくなり、各画素位置で情報の混合が行われることになる。こうして、何らの対策を施さないと、元来の意図した画像である入力画像情報がそのまま表示されず、画素の混合が発生して品質が低下した画像が表示されてしまうことになる。そこで、この混色係数行列の逆行列を入力画像情報に掛けて得られる補正入力画像情報を、上述した入力画像情報に代えることにより、出力画像情報を元来意図した入力画像情報に一致させることが基本的にできる（ここに、「基本的にできる」とは、混色係数行列の逆行列が存在しない、あるいは混色係数行列の逆行列は存在するがこの逆行列を用いて得られる補正信号が物理的に意味のないもの（例えば、負の輝度を発生させる信号等）になってしまう、などの何らかの近似を行わなければならない場合があると考えられるためである。）。
【０１６９】
すなわち、数式４に示した行列ＫR(n)の逆行列として数式７に示すような逆行列ＣＫR(n)を、数式５に示した行列ＫG(n)の逆行列として数式８に示すような逆行列ＣＫG(n)を、数式６に示した行列ＫB(n)の逆行列として数式９に示すような逆行列ＣＫB(n)を、それぞれ算出する（ステップＳ３）。  
［数７］
2007219301.tif 000007
［数８］
2007219301.tif 000008
［数９］
2007219301.tif 000009
【０１７０】
このときの逆行列の算出は、よく知られているように、数式１０に示すように行うことができる。ここに、ΔＡは行列Ａの余因子行列、｜Ａ｜は行列Ａの行列式である。  
［数１０］
2007219301.tif 000010
【０１７１】
このようにして算出した補正を行うための逆行列ＣＫR(n)，ＣＫG(n)，ＣＫB(n)の各係数を、演算パラメータとしてパラメータ記憶部５１ｅに書き込んで記憶しておく（ステップＳ４）。
【０１７２】
その後に、表示用の画像情報に対して偏光特性補正処理を行う場合には、パラメータ記憶部５１ｅに記憶している補正行列の係数を偏光特性補正処理部５２ａの演算パラメータとして書き込む（ステップＳ５）。これにより、偏光特性補正処理部５２ａは、画像情報が入力される毎に、該演算パラメータを用いて自動的に補正演算を行うようになっている。
【０１７３】
すなわち、Ｒ色に係る映像信号ＩＮAR(N)，ＩＮBR(N)，ＩＮDR(N)，ＩＮCR(N)が入力された場合には次の数式１１に示すように補正を行って、補正後の映像信号ＨＩＮAR(N)，ＨＩＮBR(N)，ＨＩＮDR(N)，ＨＩＮCR(N)を算出する。  
［数１１］
2007219301.tif 000011
【０１７４】
また、Ｇ色に係る映像信号ＩＮAG(N)，ＩＮBG(N)，ＩＮDG(N)，ＩＮCG(N)が入力された場合には次の数式１２に示すように補正を行って、補正後の映像信号ＨＩＮAG(N)，ＨＩＮBG(N)，ＨＩＮDG(N)，ＨＩＮCG(N)を算出する。  
［数１２］
2007219301.tif 000012
【０１７５】
同様に、Ｂ色に係る映像信号ＩＮAB(N)，ＩＮBB(N)，ＩＮDB(N)，ＩＮCB(N)が入力された場合には次の数式１３に示すように補正を行って、補正後の映像信号ＨＩＮAB(N)，ＨＩＮBB(N)，ＨＩＮDB(N)，ＨＩＮCB(N)を算出する。  
［数１３］
2007219301.tif 000013
【０１７６】
そして、これらの補正後の映像信号を用いて、表示制御部２９を介して表示部２１に表示を行うことにより、偽色等のない元来の意図した画像を表示することが可能となる。
【０１７７】
このように、偏光特性補正処理部５２ａは、画素ずらし用の偏光旋回液晶セル２２，２４の偏光特性の補正を色毎に（より正確には分光波長毎に）行うようになっている。
【０１７８】
上述したようにして、ステップＳ５の処理が終了したら、この偏光特性補正パラメータ演算処理を抜けて、メインルーチン等へ復帰する。
【０１７９】
次に、図１４は、偏光特性補正パラメータ演算処理を所定の使用経過時間毎に行う処理を示すフローチャートである。
【０１８０】
この処理を開始すると、パラメータ記憶部５１ｅに予め記憶されている偏光特性補正パラメータ演算設定時間を読み出す（ステップＳ１１）。
【０１８１】
次に、前回、偏光特性補正パラメータ演算を行ってからの使用経過時間を検出する（ステップＳ１２）。この検出は、例えば、図示しないタイマレジスタの不揮発性記憶値を参照して、これを現在時刻と比較することにより行う。
【０１８２】
続いて、使用経過時間が、偏光特性補正パラメータ演算設定時間以上になったか否かを判定する（ステップＳ１３）。
【０１８３】
ここで、使用経過時間が偏光特性補正パラメータ演算設定時間以上になった場合には、図１３に示したような偏光特性補正パラメータ演算処理を実行する（ステップＳ１４）。これにより、新たな補正パラメータがパラメータ記憶部５１ｅに記憶される。
【０１８４】
そして、上述したようなタイマレジスタの不揮発性記憶値をリセットし、つまり使用経過時間を０に設定する（ステップＳ１５）。
【０１８５】
このステップＳ１５の処理が終了するか、またはステップＳ１３において使用経過時間が偏光特性補正パラメータ演算設定時間にまだ達していないと判定された場合には、この処理を終了する。
【０１８６】
次に、図１５は、偏光特性補正パラメータ演算処理を所定の温度変化量毎に行う処理を示すフローチャートである。
【０１８７】
この処理を開始すると、温度レジスタ５１ｂに記憶されている現在の偏光旋回液晶セル２２，２４の温度を読み出す（ステップＳ２１）。
【０１８８】
次に、温度レジスタ５１ｂに記憶されている前回偏光特性補正パラメータ演算処理を行ったときの偏光旋回液晶セル２２，２４の温度を読み出す（ステップＳ２２）。
【０１８９】
そして、ステップＳ２１で読み出した温度とステップＳ２２で読み出した温度との温度差絶対値を算出する（ステップＳ２３）。
【０１９０】
こうして算出した温度差絶対値が、所定の温度値、ここでは例えば１０℃以上であるか否かを判定する（ステップＳ２４）。
【０１９１】
このステップＳ２４において、温度差絶対値が１０℃以上であると判定された場合には、現在の温度値を前回検出温度に設定して（ステップＳ２５）、温度レジスタ５１ｂの記憶値を書き換える（ステップＳ２６）。
【０１９２】
続いて、図１３に示したような偏光特性補正パラメータ演算処理を実行する（ステップＳ２７）。
【０１９３】
このステップＳ２７の処理が終了するか、またはステップＳ２４において温度差絶対値が所定の温度値にまだ達していないと判定された場合には、この処理を終了する。
【０１９４】
次に、図１６は、画像表示装置の電源が起動される毎に偏光特性補正パラメータ演算を行う処理を示すフローチャートである。
【０１９５】
この処理を開始すると、電源スイッチ５６のオン／オフ状態を検出する（ステップＳ３１）。
【０１９６】
続いて、システム制御マイクロコンピュータ５１内に設けられている図示しない不揮発性の電源スイッチ状態レジスタから、前回検出した電源スイッチ５６の状態を読み出す（ステップＳ３２）。
【０１９７】
そして、ステップＳ３１で検出した現在の電源スイッチ５６の状態がオン状態であるか否かを判定する（ステップＳ３３）。
【０１９８】
このステップＳ３３において、現在の電源スイッチ５６の状態がオン状態であると判定された場合には、ステップＳ３２で読み出した電源スイッチ５６の状態と比較することにより、電源スイッチ５６の状態がオフ状態からオン状態に変化したか否かを判定する（ステップＳ３４）。
【０１９９】
このステップＳ３４において、電源スイッチ５６の状態がオフ状態からオン状態に変化したと判定された場合には、現在の電源スイッチ５６の状態であるオン状態を電源スイッチ状態レジスタに記憶してから（ステップＳ３５）、図１３に示したような偏光特性補正パラメータ演算の処理を行う（ステップＳ３６）。
【０２００】
このステップＳ３６の処理が終了するか、またはステップＳ３４において電源スイッチ５６の状態がオフ状態からオン状態に変化したのではないと判定された場合（つまり、電源スイッチ５６の状態が前回もオン状態で現在もオン状態である場合）には、映像表示等の各処理を行い（ステップＳ３７）、その後ステップＳ３１へ戻って上述したような処理を繰り返して行う。
【０２０１】
一方、ステップＳ３３において、現在の電源スイッチがオン状態でない（つまり、オフ状態である）と判定された場合には、電源スイッチ５６の状態がオン状態からオフ状態に変化したか否かを判定する（ステップＳ３８）。
【０２０２】
このステップＳ３８において、電源スイッチ５６の状態がオン状態からオフ状態に変化したと判定された場合には、現在の電源スイッチ５６の状態であるオフ状態を電源スイッチ状態レジスタに記憶する（ステップＳ３９）。
【０２０３】
ステップＳ３８において電源スイッチ５６の状態がオン状態からオフ状態に変化したのではないと判定された場合（つまり、電源スイッチ５６の状態が前回もオフ状態で現在もオフ状態である場合）、またはステップＳ３９の処理が終了した場合には、ステップＳ３１へ戻って上述したような処理を繰り返して行う。
【０２０４】
次に、図１７は、映像入力端子が切り替えられる毎に偏光特性補正パラメータ演算を行う処理を示すフローチャートである。
【０２０５】
この処理を開始すると、映像切替制御回路５１ｆに内蔵されている図示しない映像選択レジスタから、映像入力選択設定を読み込む（ステップＳ４１）。
【０２０６】
続いて、各映像入力端子６２ａ〜６２ｃの接続状態を各信号検出回路６３ａ〜６３ｃを介して検出し（ステップＳ４２）、映像入力選択設定されている映像入力端子の映像信号が有効であるか否かを判定する（ステップＳ４３）。
【０２０７】
このステップＳ４３において、映像入力選択設定されている映像入力端子の映像信号が無効であると判定された場合には、他に映像信号が有効な映像入力端子が存在するか否かを判定する（ステップＳ４４）。
【０２０８】
このステップＳ４４において、他に映像信号が有効な映像入力端子が存在すると判定された場合には、映像入力選択を、有効な映像入力端子の内の、予め定められた所定の順序に従った次の優先映像入力端子に切り替える（ステップＳ４５）。
【０２０９】
そして、映像選択レジスタの映像入力選択設定を、ステップＳ４５で設定した映像入力端子に書き換えて（ステップＳ４６）、図１３に示したような偏光特性補正パラメータ演算の処理を行う（ステップＳ４７）。
【０２１０】
また、ステップＳ４３において映像入力選択設定されている映像入力端子の映像信号が有効であると判定された場合、ステップＳ４４において他に映像信号が有効な映像入力端子が存在しないと判定された場合、またはこのステップＳ４７の処理が終了した場合には、この処理を終了する。
【０２１１】
次に、図１８は、偏光旋回液晶セル２２，２４の偏光特性を検出した結果に応じて偏光特性補正を行うか否かを選択する処理を示すフローチャートである。
【０２１２】
この処理を開始すると、まず図１３に示したような偏光特性補正パラメータ演算処理を行う（ステップＳ５１）。
【０２１３】
次に、検出結果に基づいて、補正処理パラメータ演算部５１ｄが、数式１に示したように偏光比を算出する（ステップＳ５２）。
【０２１４】
そして、算出したＮＢ測定黒偏光比ＲＮＢ（Ｂ）が所定値以上、ここでは例えば０．１（１０％）以上であるか否かを判定する（ステップＳ５３）。このような判定を行うのは、ＮＢ測定黒偏光比ＲＮＢ（Ｂ）が大きいと、偽色やムラが目立ち易くなると考えられるためである。
【０２１５】
このステップＳ５３において、ＮＢ測定黒偏光比ＲＮＢ（Ｂ）が１０％以上であると判定された場合には、補正処理パラメータ演算部５１ｄが出力選択スイッチ５２ｂへ切替信号を出力して、出力選択スイッチ５２ｂの出力として、偏光特性補正処理部５２ａからの偏光特性補正処理済みの画像信号を選択させる（ステップＳ５４）。
【０２１６】
その後、システム制御マイクロコンピュータ５１は、偏光特性補正処理部電源５７を制御して、偏光特性補正処理部５２ａへの電力を供給させる（ステップＳ５５）。
【０２１７】
一方、ステップＳ５３において、ＮＢ測定黒偏光比ＲＮＢ（Ｂ）が１０％未満であると判定された場合には、補正処理パラメータ演算部５１ｄが出力選択スイッチ５２ｂへ切替信号を出力して、出力選択スイッチ５２ｂの出力として、入力選択スイッチ６４からの補正前の画像信号を選択させる（ステップＳ５６）。
【０２１８】
その後、システム制御マイクロコンピュータ５１は、偏光特性補正処理部電源５７を制御して、偏光特性補正処理部５２ａへの電力供給を停止させる（ステップＳ５７）。
【０２１９】
こうして、ステップＳ５５またはステップＳ５７の処理を行ったら、この処理を終了する。
【０２２０】
なお、この図１８の説明においては、ステップＳ５１において図１３に示した偏光特性補正パラメータ演算処理を行うようにしているが、ステップＳ５１の段階においてはステップＳ１の処理および数式１の演算処理のみを行うようにしても良い。このときには、ステップＳ５３においてＮＢ測定黒偏光比ＲＮＢ（Ｂ）が１０％以上であると判定された場合にのみ、図１３に示したステップＳ２〜Ｓ５の処理を行えば足りる。
【０２２１】
次に、図１９は、投射光学系３１のズーム倍率が所定値よりも小さいときには偏光特性補正処理部５２ａの電源をオフにする処理を示すフローチャートである。
【０２２２】
この処理を開始すると、補正処理パラメータ演算部５１ｄは、ズーム／焦点位置情報検出部３３から投射光学系３１のズーム倍率に関する情報を取得する（ステップＳ６１）。
【０２２３】
そして、投射光学系３１のズーム倍率が所定値、例えば２倍以上であるか否かを判定する（ステップＳ６２）。このような判定を行うのは、ズーム倍率が大きいと、スクリーン２上に画像が拡大して投影されることになるために、偽色やムラが目立ち易くなると考えられるためである。
【０２２４】
このステップＳ６２において、ズーム倍率が２倍以上であると判定された場合には、補正処理パラメータ演算部５１ｄが出力選択スイッチ５２ｂへ切替信号を出力して、出力選択スイッチ５２ｂの出力として、偏光特性補正処理部５２ａからの偏光特性補正処理済みの画像信号を選択させる（ステップＳ６３）。
【０２２５】
その後、システム制御マイクロコンピュータ５１は、偏光特性補正処理部電源５７を制御して、偏光特性補正処理部５２ａへの電力を供給させる（ステップＳ６４）。
【０２２６】
一方、ステップＳ６２において、ズーム倍率が２倍未満であると判定された場合には、補正処理パラメータ演算部５１ｄが出力選択スイッチ５２ｂへ切替信号を出力して、出力選択スイッチ５２ｂの出力として、入力選択スイッチ６４からの補正前の画像信号を選択させる（ステップＳ６５）。
【０２２７】
その後、システム制御マイクロコンピュータ５１は、偏光特性補正処理部電源５７を制御して、偏光特性補正処理部５２ａへの電力供給を停止させる（ステップＳ６６）。
【０２２８】
こうして、ステップＳ６４またはステップＳ６６の処理を行ったら、この処理を終了する。
【０２２９】
次に、図２０は、投射光学系３１の焦点位置が所定位置よりも近いときには偏光特性補正処理部５２ａの電源をオフにする処理を示すフローチャートである。
【０２３０】
この処理を開始すると、補正処理パラメータ演算部５１ｄは、ズーム／焦点位置情報検出部３３から投射光学系３１の焦点位置に関する情報を取得する（ステップＳ７１）。
【０２３１】
そして、投射光学系３１の焦点位置が所定値、例えば３ｍ以上であるか否かを判定する（ステップＳ７２）。このような判定を行うのは、焦点位置が遠いと、スクリーン２上に画像が拡大して投影されることになるために、偽色やムラが目立ち易くなると考えられるためである。
【０２３２】
このステップＳ７２において、焦点位置が３ｍ以上であると判定された場合には、補正処理パラメータ演算部５１ｄが出力選択スイッチ５２ｂへ切替信号を出力して、出力選択スイッチ５２ｂの出力として、偏光特性補正処理部５２ａからの偏光特性補正処理済みの画像信号を選択させる（ステップＳ７３）。
【０２３３】
その後、システム制御マイクロコンピュータ５１は、偏光特性補正処理部電源５７を制御して、偏光特性補正処理部５２ａへの電力を供給させる（ステップＳ７４）。
【０２３４】
一方、ステップＳ７２において、焦点位置が３ｍ未満であると判定された場合には、補正処理パラメータ演算部５１ｄが出力選択スイッチ５２ｂへ切替信号を出力して、出力選択スイッチ５２ｂの出力として、入力選択スイッチ６４からの補正前の画像信号を選択させる（ステップＳ７５）。
【０２３５】
その後、システム制御マイクロコンピュータ５１は、偏光特性補正処理部電源５７を制御して、偏光特性補正処理部５２ａへの電力供給を停止させる（ステップＳ７６）。
【０２３６】
こうして、ステップＳ７４またはステップＳ７６の処理を行ったら、この処理を終了する。
【０２３７】
次に、図２１は、偏光旋回液晶セル２２，２４の偏光特性と、投射光学系３１のズーム倍率および焦点位置と、に応じて偏光特性補正処理部５２ａのオン／オフを制御する処理を示すフローチャートである。
【０２３８】
この処理を開始すると、まず図１３に示したような偏光特性補正パラメータ演算処理を行う（ステップＳ８１）。
【０２３９】
次に、検出結果に基づいて、補正処理パラメータ演算部５１ｄが、数式１に示したように偏光比を算出する（ステップＳ８２）。
【０２４０】
そして、算出したＮＢ測定黒偏光比ＲＮＢ（Ｂ）が所定値以上、ここでは例えば０．１（１０％）以上であるか否かを判定する（ステップＳ８３）。
【０２４１】
このステップＳ８３において、ＮＢ測定黒偏光比ＲＮＢ（Ｂ）が１０％以上であると判定された場合には、補正処理パラメータ演算部５１ｄが、ズーム／焦点位置情報検出部３３から投射光学系３１のズーム倍率に関する情報を取得する（ステップＳ８４）。
【０２４２】
そして、投射光学系３１のズーム倍率が所定値、例えば２倍以上であるか否かを判定する（ステップＳ８５）。
【０２４３】
このステップＳ８５において、ズーム倍率が２倍以上であると判定された場合には、補正処理パラメータ演算部５１ｄが、ズーム／焦点位置情報検出部３３から投射光学系３１の焦点位置に関する情報を取得する（ステップＳ８６）。
【０２４４】
そして、投射光学系３１の焦点位置が所定値、例えば３ｍ以上であるか否かを判定する（ステップＳ８７）。
【０２４５】
このステップＳ８７において、焦点位置が３ｍ以上であると判定された場合には、補正処理パラメータ演算部５１ｄが出力選択スイッチ５２ｂへ切替信号を出力して、出力選択スイッチ５２ｂの出力として、偏光特性補正処理部５２ａからの偏光特性補正処理済みの画像信号を選択させる（ステップＳ８８）。
【０２４６】
その後、システム制御マイクロコンピュータ５１は、偏光特性補正処理部電源５７を制御して、偏光特性補正処理部５２ａへの電力を供給させる（ステップＳ８９）。
【０２４７】
一方、ステップＳ８３においてＮＢ測定黒偏光比ＲＮＢ（Ｂ）が１０％未満であると判定された場合、ステップＳ８５においてズーム倍率が２倍未満であると判定された場合、またはステップＳ８７において焦点位置が３ｍ未満であると判定された場合には、補正処理パラメータ演算部５１ｄが出力選択スイッチ５２ｂへ切替信号を出力して、出力選択スイッチ５２ｂの出力として、入力選択スイッチ６４からの補正前の画像信号を選択させる（ステップＳ９０）。
【０２４８】
その後、システム制御マイクロコンピュータ５１は、偏光特性補正処理部電源５７を制御して、偏光特性補正処理部５２ａへの電力供給を停止させる（ステップＳ９１）。
【０２４９】
こうして、ステップＳ８９またはステップＳ９１の処理を行ったら、この処理を終了する。
【０２５０】
なお、この図２１の説明においては、ステップＳ８１において図１３に示した偏光特性補正パラメータ演算処理を行うようにしているが、ステップＳ８１の段階においてはステップＳ１の処理および数式１の演算処理のみを行うようにしても良い。このときには、ステップＳ８７において焦点位置が３ｍ以上であると判定された場合にのみ、図１３に示したステップＳ２〜Ｓ５の処理を行えば足りる。
【０２５１】
また、上述では、色面順次にカラー画像の表示を行う画像表示装置について説明したが、これに限るものではなく、例えば、カラー画像を構成する色毎に独立した光路を有する多板表示方式の画像表示装置に適用することももちろん可能である。
【０２５２】
このような実施形態１によれば、画素ずらし用の偏光旋回液晶セルの偏光特性を検出するためのセンサユニットを画像表示装置に組み込んだために、偏光旋回液晶セルの偏光特性をほぼリアルタイムに検出することが可能となる。
【０２５３】
そして、検出した偏光特性に基づく画像の劣化を補正するための補正演算ブロックを画像表示装置に組み込んだために、適時に更新される偽色補正のパラメータを用いて、画像情報の補正を行うことができる。これにより、温度変化や経年変化があった場合にも随時追従して、偽色を低減し高品質な画像を表示することが可能となる。
【０２５４】
また、前回偏光特性補正パラメータ演算を行ってからの経過時間が所定時間に達する毎に、自動的に偏光特性補正パラメータ演算を改めて行うようにしたために、面倒な手動操作を行う必要なく、常に高品位な画像を表示することが可能となる。
【０２５５】
さらに、前回偏光特性補正パラメータ演算を行ってからの温度変化の絶対値が所定温度に達する毎に、自動的に偏光特性補正パラメータ演算を改めて行うようにしたために、面倒な手動操作を行う必要なく、環境温度の変化や画像表示装置内の温度の変化に追従して、常に高品位な画像を表示することが可能となる。
【０２５６】
そして、画像表示装置の電源スイッチがオフからオンに変化する毎に、自動的に偏光特性補正パラメータ演算を改めて行うようにしたために、面倒な手動操作を行う必要なく、特に経年変化等に追従して、常に高品位な画像を表示することが可能となる。
【０２５７】
さらに、映像入力端子の選択状態が変化する毎に、自動的に偏光特性補正パラメータ演算を改めて行うようにしたために、面倒な手動操作を行う必要なく、接続環境の変化等に追従して、常に高品位な画像を表示することが可能となる。
【０２５８】
加えて、偽色やムラが目立ち難い状況のとき（例えば、偏光比の測定値が高いとき、ズーム倍率が大きいとき、焦点位置が遠いときなど）には偏光特性補正処理部の電源を自動的にオフにするようにしたために、面倒な手動操作を行うことなく、消費電力を低減し、静音化を図ることができる。特に、偏光特性補正処理部は、表示される画像にリアルタイムに追従して複雑な演算処理を高速に行う必要があり、消費電力が比較的大きいと考えられるために、このような構成が有効となる。
【０２５９】
こうして、偏光旋回液晶セルの偏光特性を直接測定して画像情報の補正演算処理のパラメータを決定しているために、温度等を測定して間接的に偏光旋回液晶セルの偏光特性を推定する場合と異なり、誤差を含むことのないより高精度な偽色補正処理を実行することができる。これにより、より高精度な画素ずらしを行って高品質な画像を表示することが可能となる。
【０２６０】
なお、本発明は上述した実施形態に限定されるものではなく、発明の主旨を逸脱しない範囲内において種々の変形や応用が可能であることは勿論である。
【産業上の利用可能性】
【０２６１】
本発明は、偏光旋回液晶セルの偏光特性を測定するためのセンサユニット、このセンサユニットを備える画素ずらしユニット、この画素ずらしユニットを備える画像表示装置に好適に利用することができる。
【図面の簡単な説明】
【０２６２】
【図１】本発明の実施形態１における画像表示装置の主として光学系に係る構成の概要を示す図。
【図２】上記実施形態１におけるセンサユニットの基本的な構成を示す図。
【図３】上記実施形態１において、画素ずらし部により光線シフトを行って４点画素ずらしを行う作用を説明するための図。
【図４】上記実施形態１の単板色面順次表示方式のカラー画像表示装置における画素ずらしのタイミングチャート。
【図５】上記実施形態１において、各偏光旋回液晶セル毎に、平行ニコルおよびクロスニコルに３枚の偏光板、２個の測定用光源、および２個の受光素子を固定的に配置した構成例を示す斜視図。
【図６】上記実施形態１において、各偏光旋回液晶セル毎に、平行ニコルとクロスニコルとを時分割で切り換え可能に３枚の偏光板、１個の測定用光源、および１個の受光素子を配置した構成例を示す斜視図。
【図７】上記実施形態１において、画素ずらし部における表示光束が通過する光路内に、ノーマリーブラック測定とノーマリーホワイト測定とを行うための偏光板および受光素子を出入可能となるように配設した構成例を示す斜視図。
【図８】上記実施形態１における画像表示装置の主として電気的な構成を示すブロック図。
【図９】上記実施形態１において、偏光旋回制御信号の駆動波形と、受光素子から得られる光量測定出力信号の波形と、を示す線図。
【図１０】上記実施形態１において、偏光旋回液晶セルをオンにしているときの、偏光板による理想直線偏光からのズレを説明するための線図。
【図１１】上記実施形態１において、２枚の偏光旋回液晶セルの少なくとも一方がオフ状態になっているときに楕円偏光が発生することを説明するための線図。
【図１２】上記実施形態１における画像情報の画素配列の一例を示す図。
【図１３】上記実施形態１における偏光特性補正パラメータ演算の基本的な動作を示すフローチャート。
【図１４】上記実施形態１において、偏光特性補正パラメータ演算処理を所定の使用経過時間毎に行う処理を示すフローチャート。
【図１５】上記実施形態１において、偏光特性補正パラメータ演算処理を所定の温度変化量毎に行う処理を示すフローチャート。
【図１６】上記実施形態１において、画像表示装置の電源が起動される毎に偏光特性補正パラメータ演算を行う処理を示すフローチャート。
【図１７】上記実施形態１において、映像入力端子が切り替えられる毎に偏光特性補正パラメータ演算を行う処理を示すフローチャート。
【図１８】上記実施形態１において、偏光旋回液晶セルの偏光特性を検出した結果に応じて偏光特性補正を行うか否かを選択する処理を示すフローチャート。
【図１９】上記実施形態１において、投射光学系のズーム倍率が所定値よりも小さいときには偏光特性補正処理部の電源をオフにする処理を示すフローチャート。
【図２０】上記実施形態１において、投射光学系の焦点位置が所定位置よりも近いときには偏光特性補正処理部の電源をオフにする処理を示すフローチャート。
【図２１】上記実施形態１において、偏光旋回液晶セルの偏光特性と、投射光学系のズーム倍率および焦点位置と、に応じて偏光特性補正処理部のオン／オフを制御する処理を示すフローチャート。
【符号の説明】
【０２６３】
１…プロジェクタ
２…スクリーン（表示光学手段）
５…照明部（画像変調手段）
６…画素ずらし部
７…表示光学部
１１…表示用光源
１１ａ…光源部
１１ｂ…楕円リフレクタ
１２…カラーホイール
１２ｂ…Ｂフィルタ
１２ｇ…Ｇフィルタ
１２ｒ…Ｒフィルタ
１３…ＰＳ変換素子
１４…インテグレータロッド
１５…照明光学系
２０…画素ずらしユニット
２１…表示部（画像変調手段）
２２…第１の偏光旋回液晶セル
２２ａ…表示用領域
２２ｂ…検出用領域
２３…第１の複屈折板
２４…第２の偏光旋回液晶セル
２４ａ…表示用領域
２４ｂ…検出用領域
２５…第２の複屈折板
２６…第１のセンサユニット
２７…第２のセンサユニット
２８…遮光部材
２９…表示制御部
３１…投射光学系（表示光学手段）
３２…ズーム／焦点駆動機構
３３…ズーム／焦点位置情報検出部
４１，４１Ａ１，４１Ａ２…測定用光源
４２，４２Ａ，４２Ｂ…偏光板（第１の偏光手段）
４２ａ…偏光透過軸
４３，４３Ａｐ，４３Ａｓ，４３Ｂｐ，４３Ｂｓ，４３ｐ，４３ｓ…偏光板（第２の偏光手段）
４３ａ…偏光透過軸
４４，４４Ａ，４４Ａ１，４４Ａ２，４４Ｂ，４４Ｂ１，４４Ｂ２…受光素子（受光手段）
４４ａ…受光部
４５，４５Ａ，４５Ｂ…カラーフィルタ
４５Ａｂ，４５Ｂｂ，４５ｂ…Ｂ色フィルタ
４５Ａｇ，４５Ｂｇ，４５ｇ…Ｇ色フィルタ
４５Ａｒ，４５Ｂｒ，４５ｒ…Ｒ色フィルタ
４６，４６Ａ，４６Ｂ…カラーフィルタ位置制御機構
４６ａ，４６Ａａ，４６Ｂａ…ラック
４６ｂ，４６Ａｂ，４６Ｂｂ…モータ
４７…偏光板偏光方向制御部（切替手段）
４７Ａ，４７Ｂ…偏光板位置制御機構（切替手段）
４７Ａａ，４７Ｂａ…枠部材
４７Ａｂ，４７Ｂｂ…ラック
４７Ａｃ，４７Ｂｃ…モータ
４８…センサユニット位置制御機構（移動手段）
４８ａ…ラック
４８ｂ…モータ
５１…システム制御マイクロコンピュータ（測定手段）
５１ａ…点灯制御回路
５１ｂ…温度レジスタ
５１ｃ…偏光特性計算部
５１ｄ…補正処理パラメータ演算部
５１ｅ…パラメータ記憶部（不揮発性記憶手段）
５１ｆ…映像切替制御回路
５１ｇ…カラーフィルタ位置制御回路
５２…補正演算ブロック（画像情報補正演算手段）
５２ａ…偏光特性補正処理部
５２ｂ…出力選択スイッチ
５３…光源発光回路
５４…液晶セル駆動回路
５５…温度検出装置（温度検出手段）
５６…電源スイッチ
５７…偏光特性補正処理部電源（電源制御手段）
５８…面順次タイミング制御回路
５９…画素ずらし面順次化部
６１…映像切替操作ボタン
６２ａ…第１映像入力端子（信号入力手段）
６２ｂ…第２映像入力端子（信号入力手段）
６２ｃ…第３映像入力端子（信号入力手段）
６３ａ…第１信号検出回路（信号入力手段）
６３ｂ…第２信号検出回路（信号入力手段）
６３ｃ…第３信号検出回路（信号入力手段）
６４…入力選択スイッチ（信号入力手段）
【図１】
2007219301.tif 000014
【図２】
2007219301.tif 000015
【図３】
2007219301.tif 000016
【図４】
2007219301.tif 000017
【図５】
2007219301.tif 000018
【図６】
2007219301.tif 000019
【図７】
2007219301.tif 000020
【図８】
2007219301.tif 000021
【図９】
2007219301.tif 000022
【図１０】
2007219301.tif 000023
【図１１】
2007219301.tif 000024
【図１２】
2007219301.tif 000025
【図１３】
2007219301.tif 000026
【図１４】
2007219301.tif 000027
【図１５】
2007219301.tif 000028
【図１６】
2007219301.tif 000029
【図１７】
2007219301.tif 000030
【図１８】
2007219301.tif 000031
【図１９】
2007219301.tif 000032
【図２０】
2007219301.tif 000033
【図２１】
2007219301.tif 000034